(57)【要約】  ワイヤレス通信環境におけるスモールセルの送信電力管理は、あるアクセスポイントに関連付けられた複数のアクセス端末によって生成された情報を受信し、受信情報に基づいてアクセス端末を分類し、アクセス端末の分類に基づいて前記アクセスポイントの送信電力を決定することによって達成され得る。
2016529850.tif 000002
【特許請求の範囲】
【請求項１】
通信のための装置であって、
あるアクセスポイントに関連付けられた複数のアクセス端末によって生成された情報を受信するように構成された通信デバイスと、
前記受信情報に基づいて前記アクセス端末を分類し、前記アクセス端末の前記分類に基づいて前記アクセスポイントの送信電力を決定するように構成された処理システムとを含む、装置。
【請求項２】
前記分類が、前記アクセス端末のうちのどれが前記アクセスポイントにより大量の測定報告メッセージを送信したかを決定することを含む、請求項1に記載の装置。
【請求項３】
前記分類が、測定報告メッセージに基づいて、前記アクセス端末のうちのどれが前記アクセスポイントまでのより小さい経路損失に関連付けられるかを決定することを含む、請求項1に記載の装置。
【請求項４】
前記分類が、前記アクセス端末のうちのどれが無線リンク障害に関連付けられたより大量のセル更新メッセージを前記アクセスポイントに送信したかを決定することを含む、請求項1に記載の装置。
【請求項５】
前記分類が、第1のカテゴリーの前記アクセス端末と第2のカテゴリーの前記アクセス端末とを識別することを含み、
前記第1のカテゴリーは、前記アクセスポイントに送信された測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項1に記載の装置。
【請求項６】
前記セル更新メッセージが、無線リンク障害に関連付けられる、請求項5に記載の装置。
【請求項７】
前記分類が、前記第1のカテゴリーまたは前記第2のカテゴリーに含まれないアクセス端末を含む、第3のカテゴリーの前記アクセス端末を識別することをさらに含む、請求項5に記載の装置。
【請求項８】
前記分類が、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別することを含む、請求項1に記載の装置。
【請求項９】
前記分類が、
前記アクセスポイントによってターゲットレベルのサービスを提供される前記アクセス端末の第1のサブセットと、
前記アクセスポイントの干渉から保護される前記アクセス端末の第2のサブセットとを識別することを含む、請求項1に記載の装置。
【請求項１０】
前記情報が、
前記アクセス端末によって送信された測定報告メッセージ、
前記アクセス端末によって送信されたセル更新メッセージ、または
前記アクセス端末によって送信された登録メッセージのうちの少なくとも1つを含む、請求項1に記載の装置。
【請求項１１】
前記情報が、
経路損失情報、
セル更新カウント情報、または
登録カウント情報のうちの少なくとも1つを含む、請求項1に記載の装置。
【請求項１２】
前記送信電力の前記決定が、前記アクセス端末のうちの少なくとも1つから前記アクセスポイントに送信されたセル更新の量に基づいている、請求項1に記載の装置。
【請求項１３】
前記セル更新が、無線リンク障害に関連付けられる、請求項12に記載の装置。
【請求項１４】
前記送信電力の前記決定が、
第1のカテゴリーの前記アクセス端末に関連付けられた第1のタイプの前記情報と、
第2のカテゴリーの前記アクセス端末に関連付けられた第2のタイプの前記情報とに基づいている、請求項1に記載の装置。
【請求項１５】
前記第1のタイプの前記情報が経路損失情報を含み、
前記第2のタイプの前記情報がセル更新カウント情報を含む、請求項14に記載の装置。
【請求項１６】
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項14に記載の装置。
【請求項１７】
前記送信電力の前記決定が、
第1のカテゴリーの前記アクセス端末に関連付けられた前記情報の第1のサブセットに基づいて、ターゲットカバレージ範囲にターゲット信号品質を提供する名目送信電力を決定することと、
第2のカテゴリーの前記アクセス端末に関連付けられた前記情報の第2のサブセットに基づいて前記名目送信電力を調整することとを含む、請求項1に記載の装置。
【請求項１８】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項17に記載の装置。
【請求項１９】
前記送信電力の前記決定が、
前記アクセスポイントにより大量の測定報告メッセージを送信した第1のカテゴリーの前記アクセス端末に関連付けられた経路損失情報に基づいて、ターゲットカバレージ範囲にターゲット信号品質を提供する名目送信電力を決定することと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整することとを含む、請求項1に記載の装置。
【請求項２０】
送信電力を決定する方法であって、
あるアクセスポイントに関連付けられた複数のアクセス端末によって生成された情報を受信するステップと、
前記受信情報に基づいて前記アクセス端末を分類するステップと、
前記アクセス端末の前記分類に基づいて前記アクセスポイントの送信電力を決定するステップとを含む、方法。
【請求項２１】
前記分類が、前記アクセス端末のうちのどれが前記アクセスポイントにより大量の測定報告メッセージを送信したかを決定することを含む、請求項20に記載の方法。
【請求項２２】
前記分類が、測定報告メッセージに基づいて、前記アクセス端末のうちのどれが前記アクセスポイントまでのより小さい経路損失に関連付けられるかを決定することを含む、請求項20に記載の方法。
【請求項２３】
前記分類が、前記アクセス端末のうちのどれが無線リンク障害に関連付けられたより大量のセル更新メッセージを前記アクセスポイントに送信したかを決定することを含む、請求項20に記載の方法。
【請求項２４】
前記分類が、第1のカテゴリーの前記アクセス端末と第2のカテゴリーの前記アクセス端末とを識別することを含み、
前記第1のカテゴリーは、前記アクセスポイントに送信された測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項20に記載の方法。
【請求項２５】
前記セル更新メッセージが、無線リンク障害に関連付けられる、請求項24に記載の方法。
【請求項２６】
前記分類が、前記第1のカテゴリーまたは前記第2のカテゴリーに含まれないアクセス端末を含む、第3のカテゴリーの前記アクセス端末を識別することをさらに含む、請求項24に記載の方法。
【請求項２７】
前記分類が、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別することを含む、請求項20に記載の方法。
【請求項２８】
前記分類が、
前記アクセスポイントによってターゲットレベルのサービスを提供される前記アクセス端末の第1のサブセットと、
前記アクセスポイントの干渉から保護される前記アクセス端末の第2のサブセットとを識別することを含む、請求項20に記載の方法。
【請求項２９】
前記情報が、
前記アクセス端末によって送信された測定報告メッセージ、
前記アクセス端末によって送信されたセル更新メッセージ、または
前記アクセス端末によって送信された登録メッセージのうちの少なくとも1つを含む、請求項20に記載の方法。
【請求項３０】
前記情報が、
経路損失情報、
セル更新カウント情報、または
登録カウント情報のうちの少なくとも1つを含む、請求項20に記載の方法。
【請求項３１】
前記送信電力の前記決定が、前記アクセス端末のうちの少なくとも1つから前記アクセスポイントに送信されたセル更新の量に基づいている、請求項20に記載の方法。
【請求項３２】
前記セル更新が、無線リンク障害に関連付けられる、請求項31に記載の方法。
【請求項３３】
前記送信電力の前記決定が、
第1のカテゴリーの前記アクセス端末に関連付けられた第1のタイプの前記情報と、
第2のカテゴリーの前記アクセス端末に関連付けられた第2のタイプの前記情報とに基づいている、請求項20に記載の方法。
【請求項３４】
前記第1のタイプの前記情報が経路損失情報を含み、
前記第2のタイプの前記情報がセル更新カウント情報を含む、請求項33に記載の方法。
【請求項３５】
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項33に記載の方法。
【請求項３６】
前記送信電力の前記決定が、
第1のカテゴリーの前記アクセス端末に関連付けられた前記情報の第1のサブセットに基づいて、ターゲットカバレージ範囲にターゲット信号品質を提供する名目送信電力を決定するステップと、
第2のカテゴリーの前記アクセス端末に関連付けられた前記情報の第2のサブセットに基づいて前記名目送信電力を調整するステップとを含む、請求項20に記載の方法。
【請求項３７】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項36に記載の方法。
【請求項３８】
前記送信電力の前記決定が、
前記アクセスポイントにより大量の測定報告メッセージを送信した第1のカテゴリーの前記アクセス端末に関連付けられた経路損失情報に基づいて、ターゲットカバレージ範囲にターゲット信号品質を提供する名目送信電力を決定するステップと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整するステップとを含む、請求項20に記載の方法。
【請求項３９】
通信のための装置であって、
あるアクセスポイントに関連付けられた複数のアクセス端末によって生成された情報を受信するための手段と、
前記受信情報に基づいて前記アクセス端末を分類するための手段と、
前記アクセス端末の前記分類に基づいて前記アクセスポイントの送信電力を決定するための手段とを含む、装置。
【請求項４０】
前記分類が、前記アクセス端末のうちのどれが前記アクセスポイントにより大量の測定報告メッセージを送信したかを決定することを含む、請求項39に記載の装置。
【請求項４１】
前記分類が、測定報告メッセージに基づいて、前記アクセス端末のうちのどれが前記アクセスポイントまでのより小さい経路損失に関連付けられるかを決定することを含む、請求項39に記載の装置。
【請求項４２】
前記分類が、前記アクセス端末のうちのどれが無線リンク障害に関連付けられたより大量のセル更新メッセージを前記アクセスポイントに送信したかを決定することを含む、請求項39に記載の装置。
【請求項４３】
前記分類が、第1のカテゴリーの前記アクセス端末と第2のカテゴリーの前記アクセス端末とを識別することを含み、
前記第1のカテゴリーは、前記アクセスポイントに送信された測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項39に記載の装置。
【請求項４４】
前記セル更新メッセージが、無線リンク障害に関連付けられる、請求項43に記載の装置。
【請求項４５】
前記分類が、前記第1のカテゴリーまたは前記第2のカテゴリーに含まれないアクセス端末を含む、第3のカテゴリーの前記アクセス端末を識別することをさらに含む、請求項43に記載の装置。
【請求項４６】
前記分類が、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別することを含む、請求項39に記載の装置。
【請求項４７】
前記分類が、
前記アクセスポイントによってターゲットレベルのサービスを提供される前記アクセス端末の第1のサブセットと、
前記アクセスポイントの干渉から保護される前記アクセス端末の第2のサブセットとを識別することを含む、請求項39に記載の装置。
【請求項４８】
前記情報が、
前記アクセス端末によって送信された測定報告メッセージ、
前記アクセス端末によって送信されたセル更新メッセージ、または
前記アクセス端末によって送信された登録メッセージのうちの少なくとも1つを含む、請求項39に記載の装置。
【請求項４９】
前記情報が、
経路損失情報、
セル更新カウント情報、または
登録カウント情報のうちの少なくとも1つを含む、請求項39に記載の装置。
【請求項５０】
前記送信電力の前記決定が、前記アクセス端末のうちの少なくとも1つから前記アクセスポイントに送信されたセル更新の量に基づいている、請求項39に記載の装置。
【請求項５１】
前記セル更新が、無線リンク障害に関連付けられる、請求項50に記載の装置。
【請求項５２】
前記送信電力の前記決定が、
第1のカテゴリーの前記アクセス端末に関連付けられた第1のタイプの前記情報と、
第2のカテゴリーの前記アクセス端末に関連付けられた第2のタイプの前記情報とに基づいている、請求項39に記載の装置。
【請求項５３】
前記第1のタイプの前記情報が経路損失情報を含み、
前記第2のタイプの前記情報がセル更新カウント情報を含む、請求項52に記載の装置。
【請求項５４】
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項52に記載の装置。
【請求項５５】
前記送信電力の前記決定が、
第1のカテゴリーの前記アクセス端末に関連付けられた前記情報の第1のサブセットに基づいて、ターゲットカバレージ範囲にターゲット信号品質を提供する名目送信電力を決定することと、
第2のカテゴリーの前記アクセス端末に関連付けられた前記情報の第2のサブセットに基づいて前記名目送信電力を調整することとを含む、請求項39に記載の装置。
【請求項５６】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項55に記載の装置。
【請求項５７】
前記送信電力の前記決定が、
前記アクセスポイントにより大量の測定報告メッセージを送信した第1のカテゴリーの前記アクセス端末に関連付けられた経路損失情報に基づいて、ターゲットカバレージ範囲にターゲット信号品質を提供する名目送信電力を決定することと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整することとを含む、請求項39に記載の装置。
【請求項５８】
コンピュータに、
あるアクセスポイントに関連付けられた複数のアクセス端末によって生成された情報を受信させ、
前記受信情報に基づいて前記アクセス端末を分類させ、
前記アクセス端末の前記分類に基づいて前記アクセスポイントの送信電力を決定させるためのコードを含む、非一時的コンピュータ可読媒体。
【請求項５９】
前記分類が、前記アクセス端末のうちのどれが前記アクセスポイントにより大量の測定報告メッセージを送信したかを決定することを含む、請求項58に記載の非一時的コンピュータ可読媒体。
【請求項６０】
前記分類が、測定報告メッセージに基づいて、前記アクセス端末のうちのどれが前記アクセスポイントまでのより小さい経路損失に関連付けられるかを決定することを含む、請求項58に記載の非一時的コンピュータ可読媒体。
【請求項６１】
前記分類が、前記アクセス端末のうちのどれが無線リンク障害に関連付けられたより大量のセル更新メッセージを前記アクセスポイントに送信したかを決定することを含む、請求項58に記載の非一時的コンピュータ可読媒体。
【請求項６２】
前記分類が、第1のカテゴリーの前記アクセス端末と第2のカテゴリーの前記アクセス端末とを識別することを含み、
前記第1のカテゴリーは、前記アクセスポイントに送信された測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項58に記載の非一時的コンピュータ可読媒体。
【請求項６３】
前記セル更新メッセージが、無線リンク障害に関連付けられる、請求項62に記載の非一時的コンピュータ可読媒体。
【請求項６４】
前記分類が、前記第1のカテゴリーまたは前記第2のカテゴリーに含まれないアクセス端末を含む、第3のカテゴリーの前記アクセス端末を識別することをさらに含む、請求項62に記載の非一時的コンピュータ可読媒体。
【請求項６５】
前記分類が、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別することを含む、請求項58に記載の非一時的コンピュータ可読媒体。
【請求項６６】
前記分類が、
前記アクセスポイントによってターゲットレベルのサービスを提供される前記アクセス端末の第1のサブセットと、
前記アクセスポイントの干渉から保護される前記アクセス端末の第2のサブセットとを識別することを含む、請求項58に記載の非一時的コンピュータ可読媒体。
【請求項６７】
前記情報が、
前記アクセス端末によって送信された測定報告メッセージ、
前記アクセス端末によって送信されたセル更新メッセージ、または
前記アクセス端末によって送信された登録メッセージのうちの少なくとも1つを含む、請求項58に記載の非一時的コンピュータ可読媒体。
【請求項６８】
前記情報が、
経路損失情報、
セル更新カウント情報、または
登録カウント情報のうちの少なくとも1つを含む、請求項58に記載の非一時的コンピュータ可読媒体。
【請求項６９】
前記送信電力の前記決定が、前記アクセス端末のうちの少なくとも1つから前記アクセスポイントに送信されたセル更新の量に基づいている、請求項58に記載の非一時的コンピュータ可読媒体。
【請求項７０】
前記セル更新が、無線リンク障害に関連付けられる、請求項69に記載の非一時的コンピュータ可読媒体。
【請求項７１】
前記送信電力の前記決定が、
第1のカテゴリーの前記アクセス端末に関連付けられた第1のタイプの前記情報と、
第2のカテゴリーの前記アクセス端末に関連付けられた第2のタイプの前記情報とに基づいている、請求項58に記載の非一時的コンピュータ可読媒体。
【請求項７２】
前記第1のタイプの前記情報が経路損失情報を含み、
前記第2のタイプの前記情報がセル更新カウント情報を含む、請求項71に記載の非一時的コンピュータ可読媒体。
【請求項７３】
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項71に記載の非一時的コンピュータ可読媒体。
【請求項７４】
前記送信電力の前記決定が、
第1のカテゴリーの前記アクセス端末に関連付けられた前記情報の第1のサブセットに基づいて、ターゲットカバレージ範囲にターゲット信号品質を提供する名目送信電力を決定することと、
第2のカテゴリーの前記アクセス端末に関連付けられた前記情報の第2のサブセットに基づいて前記名目送信電力を調整することとを含む、請求項58に記載の非一時的コンピュータ可読媒体。
【請求項７５】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項74に記載の非一時的コンピュータ可読媒体。
【請求項７６】
前記送信電力の前記決定が、
前記アクセスポイントにより大量の測定報告メッセージを送信した第1のカテゴリーの前記アクセス端末に関連付けられた経路損失情報に基づいて、ターゲットカバレージ範囲にターゲット信号品質を提供する名目送信電力を決定することと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整することとを含む、請求項58に記載の非一時的コンピュータ可読媒体。
【発明の詳細な説明】
【技術分野】
【０００１】
関連出願の相互参照
本特許出願は、本出願の譲受人に譲渡され、その全体が参照により明白に本明細書に組み込まれる、2013年9月4日に出願された「DETERMINING TRANSMIT POWER BASED ON CATEGORIZATION OF ACCESS TERMINALS」と題する米国仮出願第61/873,513号の利益を主張する。
【０００２】
本開示の態様は、一般に電気通信に関し、より詳細には、スモールセルなどの送信電力管理に関する。
【背景技術】
【０００３】
ワイヤレス通信ネットワークは、ネットワークのカバレージエリア内のユーザに、様々なタイプのサービス(たとえば、音声、データ、マルチメディアサービスなど)を提供するように展開され得る。いくつかの実装形態では、1つまたは複数のマクロアクセスポイント(たとえば、様々なマクロセルに対応する)が、マクロアクセスポイントのカバレージ内で動作しているアクセス端末(たとえば、携帯電話)にワイヤレス接続を提供する。
【０００４】
いくつかのネットワークでは、低電力アクセスポイントは、従来のネットワークアクセスポイント(たとえば、マクロアクセスポイント)を補完するために展開される。一般に、これらの低電力アクセスポイントは、低電力アクセスポイントの近傍のアクセス端末に、よりロバストなカバレージおよびより高いスループットを提供する。たとえば、ユーザの自宅または企業環境(たとえば、商業ビル)にインストールされた低電力アクセスポイントは、セルラー無線通信(たとえば、CDMA、WCDMA（登録商標）、UMTS、LTEなど)をサポートするアクセス端末に、音声および高速データサービスを提供することができる。典型的には、低電力アクセスポイントは、携帯電話事業者のネットワークにバックホールリンクを提供するブロードバンド接続(たとえばデジタル加入者回線(DSL)ルータ、ケーブルモデム、または何らかの他のタイプのモデム)を介してインターネットに接続する。したがって、ユーザの自宅または商業用に展開された低電力アクセスポイントは、ブロードバンド接続を介して1つまたは複数のデバイスへのモバイルネットワークアクセスを提供する。
【０００５】
様々な展開において、低電力アクセスポイントは、ホームノードB(HNB)、ホームeノードB(HeNB)、フェムトセル、フェムトアクセスポイント、フェムトノード、アクセスポイント基地局、ピコセル、ピコノード、またはマイクロセルなどのスモールセルとして実装されるか、またはそのように呼ばれる可能性がある。したがって、本明細書におけるスモールセルに関する任意の議論は、一般に、様々な低電力アクセスポイントに等しく適用可能である場合があることを諒解されたい。
【０００６】
スペクトルリソースの不足のために、スモールセルは、マクロセルによって使用される同じ周波数チャネルを共有することがある(同一チャネル展開とも呼ばれる)。しかしながら、そのような同一チャネル展開は、計画外で未管理のスモールセルがマクロセルのダウンリンク(DL)に過剰な無線周波数(RF)干渉をもたらす場合があるので、干渉管理の課題をもたらす。
【０００７】
いくつかの場合には、この課題に対処するために、スモールセルの送信電力自己較正が使用される。従来、スモールセルの送信電力自己較正の焦点は、クローズド(または、ハイブリッド)アクセススモールセルに合わせられる。これらのシナリオでは、アクセス端末の階層が存在する。クローズドアクセスでは、スモールセル内に入ることを許可されたアクセス端末のみが、スモールセルにアクセスできる。ハイブリッドアクセスでは、いくつかのアクセス端末が、任意の他のアクセス端末よりも、スモールセルにアクセスするための優先順位が高いという選好が存在する。しかしながら、オープンアクセススモールセルでは、スモールセルは、任意のアクセス端末がスモールセルを介して任意のタイプのサービスを取得することを可能にし得る。
【発明の概要】
【課題を解決するための手段】
【０００８】
ワイヤレス通信環境におけるスモールセルの送信電力管理のためのシステムおよび方法が開示される。
【０００９】
通信のための装置が開示される。本装置は、たとえば、通信デバイスおよび処理システムを含み得る。通信デバイスは、あるアクセスポイントに関連付けられた複数のアクセス端末によって生成された情報を受信するように構成され得る。処理システムは、受信情報に基づいてアクセス端末を分類し、アクセス端末の分類に基づいてアクセスポイントの送信電力を決定するように構成され得る。
【００１０】
送信電力を決定する方法も開示される。本方法は、たとえば、あるアクセスポイントに関連付けられた複数のアクセス端末によって生成された情報を受信するステップと、受信情報に基づいてアクセス端末を分類するステップと、アクセス端末の分類に基づいて前記アクセスポイントの送信電力を決定するステップとを含み得る。
【００１１】
通信のための別の装置も開示される。本装置は、たとえば、あるアクセスポイントに関連付けられた複数のアクセス端末によって生成された情報を受信するための手段と、受信情報に基づいてアクセス端末を分類するための手段と、アクセス端末の分類に基づいて前記アクセスポイントの送信電力を決定するための手段とを含み得る。
【００１２】
コンピュータ可読媒体も開示される。本コンピュータ可読媒体は、たとえば、コンピュータに、あるアクセスポイントに関連付けられた複数のアクセス端末によって生成された情報を受信させ、受信情報に基づいてアクセス端末を分類させ、アクセス端末の分類に基づいて前記アクセスポイントの送信電力を決定させるためのコードを含み得る。
【００１３】
本開示のこれらおよび他の例示的な態様について、後に続く詳細な説明および特許請求の範囲に、ならびに添付の図面に記載する。
【図面の簡単な説明】
【００１４】
【図１】アクセス端末の分類に基づいて送信電力を決定することをサポートするように適合する通信システムのいくつかの例示的な態様の簡略ブロック図である。
【図２】アクセス端末の分類に基づいて送信電力を決定することと併せて実行され得る動作のいくつかの例示的な態様のフローチャートである。
【図３】送信電力アルゴリズムと併せて実行され得る動作のいくつかの例示的な態様のフローチャートである。
【図４】受信されたメッセージに基づいて統計量を生成することと併せて実行され得る動作のいくつかの例示的な態様のフローチャートである。
【図５】アクセス端末を分類することと併せて実行され得る動作のいくつかの例示的な態様のフローチャートである。
【図６】送信電力を決定することと併せて実行され得る動作のいくつかの例示的な態様のフローチャートである。
【図７】通信ノード中で採用され得る構成要素のいくつかの例示的な態様の簡略ブロック図である。
【図８】ワイヤレス通信システムの簡略図である。
【図９】スモールセルを含むワイヤレス通信システムの簡略図である。
【図１０】ワイヤレス通信のカバレージエリアを示す簡略図である。
【図１１】通信構成要素のいくつかの例示的な態様の簡略ブロック図である。
【図１２】本明細書で教示するように、送信電力制御をサポートするように構成された装置のいくつかの例示的な態様の簡略ブロック図である。
【発明を実施するための形態】
【００１５】
慣例に従って、図面に示される様々な特徴は、一定の縮尺で描かれていない可能性がある。したがって、明確にするために、様々な特徴の寸法は、恣意的に拡大または縮小されている場合がある。加えて、図面のうちのいくつかは、明快のために簡略化されている可能性がある。したがって、図面は、所与の装置(たとえば、デバイス)または方法の構成要素のすべてを示すとは限らない。最後に、同様の参照符号は、本明細書および図を通して同様の特徴を示すために使用され得る。
【００１６】
本開示は、いくつかの態様では、あるアクセスポイントに関連付けられたアクセス端末の分類に基づいて、そのアクセスポイントの送信電力を決定することに関する。たとえば、あるアクセスポイントに関連付けられたアクセス端末は、1)そのアクセスポイントによってサービスされる必要があるアクセス端末、2)そのアクセスポイントから保護される必要があるアクセス端末、および3)他のアクセス端末に分類され得る。そのアクセスポイントによって使用される送信電力は、これらの競合するアクセス端末のニーズの間の譲歩によって決定される。たとえば、送信電力は、最初に、そのアクセスポイントによってサービスされる必要があるアクセス端末にターゲットレベルのカバレージを提供するように設定され得る。次いで、この送信電力は、必要な場合、他のアクセス端末を保護するように調整され得る。
【００１７】
本開示はまた、いくつかの態様では、マクロセルと同一チャネルにおいて動作するスモールセル(たとえば、UMTSスモールセル)の送信電力自己較正に関し、これらのスモールセルはオープンアクセスのために構成される。そのような展開では、本明細書で教示する送信電力制御は、アクティブハンドイン(AHI)サポートの不足のために、またはシグナリング負荷の懸念のために生じ得る問題を緩和し得る。たとえば、開示される送信電力制御は、十分なスモールセルカバレージを提供し、同時にネットワーク内の隣接するマクロセルユーザへの干渉を低減する点で、向上したスモールセル性能を提供し得る。
【００１８】
本開示の様々な態様について、以下で説明する。本明細書の教示は多種多様な形で具現化され得ること、および本明細書で開示される任意の特定の構造、機能または両方は代表的なものにすぎないことは明らかであろう。本明細書の教示に基づいて、本明細書で開示される態様が他の任意の態様から独立して実装され得ること、および、これらの態様のうちの2つ以上が様々な方法で結合され得ることを、当業者は諒解されよう。たとえば、本明細書に記載される任意の数の態様を使用して、装置が実装され得、または方法が実施され得る。加えて、本明細書に記載される態様のうちの1つまたは複数に加えて、または、それら以外に、他の構造、機能、または構造および機能を使用して、そのような装置が実装され得、またはそのような方法が実施され得る。さらに、本明細書で開示される任意の態様は、請求項の1つまたは複数の要素によって実施され得る。便宜上、いくつかの態様という用語が、本明細書において、本開示の単一の態様または複数の態様を指すのに使用され得る。
【００１９】
図1は、例示的な通信システム100(たとえば、通信ネットワークの一部)のいくつかのノードを示す。例示のために、互いに通信する、1つまたは複数のアクセス端末、アクセスポイント、およびネットワークエンティティのコンテキストにおいて、本開示の様々な態様について説明する。しかしながら、本明細書の教示は、他の専門用語を使用して参照される、他のタイプの装置または他の同様の装置に適用可能であり得ることを諒解されたい。たとえば、様々な実装形態では、アクセスポイントは、基地局、ノードB、eノードB、ホームノードB、ホームeノードB、スモールセル、マクロセルなどと呼ばれるか、またはそれらとして実装される可能性があるが、アクセス端末は、ユーザ機器(UE)、移動局などと呼ばれるか、またはそれらとして実装される可能性がある。
【００２０】
システム100内のアクセスポイントは、システム100のカバレージエリア内にインストールされ得るか、またはそのカバレージエリア全体でローミングし得る1つまたは複数のワイヤレス端末に、1つまたは複数のサービス(たとえば、ネットワーク接続)へのアクセスを提供する。たとえば、様々な時点において、アクセス端末102は、アクセスポイント106、またはシステム100内の何らかの他のアクセスポイント(図示せず)に接続し得る。同様に、アクセス端末104は、アクセスポイント106、アクセスポイント108、または何らかの他のアクセスポイントに接続し得る。
【００２１】
アクセスポイントの各々は、広いエリアのネットワーク接続を容易にするために、互いに通信することを含めて、(便宜的にネットワークエンティティ110により代表される)1つまたは複数のネットワークエンティティと通信することができる。そのようなネットワークエンティティのうちの2つ以上は、コロケートされている可能性があり、かつ/または、そのようなネットワークエンティティのうちの2つ以上は、ネットワーク全体に分布している可能性がある。
【００２２】
ネットワークエンティティは、たとえば、1つまたは複数の無線ネットワークエンティティおよび/またはコアネットワークエンティティなどの様々な形態をとり得る。したがって、様々な実装形態では、ネットワークエンティティ110は、ネットワーク管理(たとえば、運用、アドミニストレーション、管理、およびプロビジョニングのエンティティを介した)、呼制御、セッション管理、モビリティ管理、ゲートウェイ機能、インターワーキング機能、またはいくつかの他の適切なネットワーク機能のうちの少なくとも1つなどの機能を表すことができる。いくつかの態様では、モビリティ管理は、追跡エリア、位置エリア、ルーティングエリア、またはいくつかの他の適切な技法の使用を通してアクセス端末の現在位置を追跡するステップと、アクセス端末のページングを制御するステップと、アクセス端末にアクセス制御を提供するステップとに関連する。
【００２３】
システム100内のアクセスポイントのうちのいくつか(たとえば、アクセスポイント106)は、スモールセルを含み得る。本明細書で使用するスモールセルという用語は、カバレージエリア中の任意のマクロアクセスポイントの(たとえば、上記で定義した)送信電力未満の送信電力(たとえば、最大送信電力、瞬時送信電力、名目送信電力、平均送信電力、または何らかの他の形態の送信電力のうちの1つまたは複数)を有するアクセスポイントを指す。いくつかの実装形態では、各スモールセルは、マクロアクセスポイントの(たとえば、上記で定義した)送信電力よりも相対マージンだけ(たとえば、10dBm以上)小さい(たとえば、上記で定義した)送信電力を有する。いくつかの実装形態では、スモールセルは、20dBm以下の最大送信電力を有する可能性がある。いくつかの実装形態では、ピコセルなどのスモールセルは、24dBm以下の最大送信電力を有する可能性がある。しかしながら、これらまたは他のタイプのスモールセルは、他の実装形態では、より高いかまたはより低い最大送信電力(たとえば、ある場合には1ワットまで、ある場合には10ワットまでなど)を有する可能性があることを諒解されたい。
【００２４】
スモールセルは、様々なタイプのアクセスモードをサポートするように構成され得る。たとえば、オープンアクセスモードでは、スモールセルは、任意のアクセス端末がスモールセルを介して任意のタイプのサービスを取得することを可能にし得る。制限された(または閉じた)アクセスモードでは、スモールセルは、認証されたアクセス端末のみがスモールセルを介してサービスを取得することを可能にし得る。たとえば、スモールセルは、ある加入者グループ(たとえば、限定加入者グループ(CSG))に属するアクセス端末(たとえば、いわゆるホームアクセス端末)のみがスモールセルを介してサービスを取得することを可能にし得る。ハイブリッドアクセスモードでは、外来アクセス端末(たとえば、非ホームアクセス端末、非CSGアクセス端末)は、スモールセルに対する制限されたアクセスを与えられ得る。たとえば、スモールセルのCSGに属さないマクロアクセス端末は、スモールセルにより現在サービスされているすべてのホームアクセス端末に対して十分なリソースが利用可能である場合にのみ、スモールセルにアクセスすることを許可され得る。
【００２５】
したがって、これらのアクセスモードのうちの1つまたは複数において動作するスモールセルは、屋内のカバレージおよび/または拡張された屋外のカバレージを提供するために使用され得る。所望のアクセス動作モードの採用によりユーザへのアクセスを可能にすることによって、スモールセルは、カバレージエリア内で改善されたサービスを提供し、場合によっては、マクロネットワークのユーザにサービスカバレージエリアを拡張することができる。
【００２６】
図1の例では、アクセスポイント106は、アクセス端末102および104からそれぞれ受信されたアクセス端末(AT)生成情報114および116に基づいてアクセスポイント106の送信電力を指定する送信電力コントローラ112を含む。情報114および116は、たとえば、測定報告メッセージ、セル更新メッセージ、および登録メッセージを含み得る。送信電力コントローラ112は、たとえば、アクセスポイントによってサービスされるべきアクセス端末と、アクセスポイントによる送信信号から特に保護されるべきアクセス端末と、他のアクセス端末とを識別するために受信情報に基づいてアクセス端末を分類する。次いで、送信電力コントローラ112は、これらのカテゴリーを考慮して、アクセスポイント106の送信電力を計算する。受信情報、分類、および送信電力計算に関する追加の詳細を以下に記載する。
【００２７】
いくつかの態様では、開示される電力制御が、有利にも、スモールセルのオープンアクセス展開モデルにおいて採用される。上述のように、そのような展開モデルは、マクロネットワークからユーザをオフロードし、全体的なシステム容量を増加させ、ユーザエクスペリエンスを向上させることができる。オープンアクセススモールセルのシナリオにおける送信電力制御(たとえば、電力自己較正)は、いくつかの問題に対処することができる。第一に、対象とするカバレージエリア外のスモールセルの漏洩が、マクロセルへのアクティブな呼を有する通過中のアクセス端末の呼品質に影響を及ぼし得る。アクティブハンドイン(AHI)サポートがない場合、これらの通過中のアクセス端末は、スモールセルに近づくとき、スモールセルから比較的強いダウンリンク(DL)干渉を受け、最後には呼が途切れる。第二に、スモールセルの漏洩は、通過中のアクセス端末がスモールセルへの再選択をしようとするが任意のサービスを要求するほど十分長くとどまらないとき、通過中のアクセス端末に対する不要なシグナリング負荷を増加させる。スモールセルの展開が極めて密である場合、スモールセルの電力自己較正がなければ、著しいパイロットポリューション問題が存在する可能性もあり、アクセス端末は、同様のパイロット強度を有する複数のスモールセルを見る可能性がある。この場合、アクセス端末のセル選択は、これらのスモールセルの間で行きつ戻りつのピンポン状態になり得る。
【００２８】
オープンアクセスのスモールセルでは、アクセスポイント許可ユーザと不許可ユーザとの間の差異がないので、ホームUE(HUE)とマクロUE(MUE)との差異に依拠する以前の技法は、良好な性能を提供しない。対照的に、本明細書で教示する電力制御は、スモールセルユーザに十分なカバレージを提供しながら、少なくとも部分的に上記の問題を解決することができる。開示される電力制御の使用によって、信号漏洩は低減される場合があり、次に、スモールセルのカバレージ領域を通過するユーザのためにマクロどうしの周波数間ハンドオーバの数を低減する場合がある。また、AHIサポートが利用できない場合、この電力制御の使用は、シグナリング負荷を低減し、その結果、スモールセルを通過しているアクセス端末からのスモールセルへの不要で無駄な再選択を低減することができる。この電力制御の使用は、パイロットポリューション問題を緩和することもできる。
【００２９】
説明のために、図1は、2つのアクセス端末からの情報に基づくアクセスポイントにおける電力制御を示す。本明細書の教示は、他の構成に組み込むことができることを諒解されたい。たとえば、他のアクセスポイントの送信電力が、同様の方法で制御され得る。また、異なる数のアクセス端末から、情報が受信され得る。加えて、様々な実装形態において様々な形式で(たとえば、様々なタイプのシグナリングを介して)、情報が受信され得る。
【００３０】
いくつかの実装形態では、アクセスポイントの代わりに別のエンティティによって送信電力計算が実行される。この場合、アクセス端末によって生成された情報は、(たとえば、サービス中のアクセスポイントによって)そのエンティティ(たとえば、ネットワークエンティティ110のうちの1つ)に転送され得る。たとえば、アクセス端末からのメッセージが転送され得るか、または、メッセージから情報が抽出され、抽出された情報が転送され得る。次いで、この他のエンティティは、アクセスポイントの送信電力を計算し、送信電力の指示をアクセスポイントに送信することができる。いくつかの実装形態では、このエンティティは、スモールセル管理システム(たとえば、HNB管理システム)であり得る。いくつかの実装形態では、このエンティティは、複数のアクセスポイントの送信電力を計算する。
【００３１】
本明細書の教示による、送信電力を決定することに関する例示的な動作については、図2〜図6のフローチャートと併せてより詳細に説明される。便宜的に、図2〜図6の動作(または、本明細書で論じられるか、または教示される任意の他の動作)については、特定の構成要素(たとえば、図1、図7、図11、または図12の構成要素)によって実行されるものとして説明され得る。しかしながら、これらの動作が、他のタイプの構成要素によって実行することができ、かつ異なる数の構成要素を使用して実行され得ることを諒解されたい。また、本明細書で説明する動作のうちの1つまたは複数が、所与の実装形態において採用され得ないことも諒解されたい。
【００３２】
図2は、アクセスポイントの送信電力を決定することと併せて、アクセスポイントまたは何らかの他の適切なエンティティによって実行され得る動作の一例を示す。典型的な実装形態では、アクセスポイントには、スモールセルがある。
【００３３】
ブロック202によって表されるように、あるアクセスポイントに関連付けられた複数のアクセス端末によって生成された情報が受信される。この情報は、様々な実装形態において様々な方法で受信され得る。
【００３４】
いくつかの実装形態では、アクセスポイントは、アクセス端末から無線周波数(RF)シグナリングを介して直接情報を受信することができる。たとえば、アクセスポイントは、サービスされるアクセス端末からのメッセージ、および/またはそのアクセスポイントと通信するように試みるアクセス端末からのメッセージを受信することができる。
【００３５】
いくつかの実装形態では、あるエンティティは、間接的な方法で情報を受信することができる。たとえば、ネットワークエンティティは、アクセス端末によって生成された情報を含むメッセージを受信することができる。この場合、アクセス端末からメッセージを直接受信するアクセスポイントは、これらのメッセージをネットワークエンティティに転送し、これらのメッセージから情報を抽出し、この情報をネットワークエンティティに転送するか、またはこの情報をいくつかの他の方法で転送することができる。
【００３６】
ブロック202における受信情報は、様々な実装形態において様々な形式をとり得る。いくつかの例を続ける。いくつかの態様では、この情報は、アクセス端末によって送信された測定報告メッセージ、アクセス端末によって送信されたセル更新メッセージ、またはアクセス端末によって送信された登録メッセージのうちの少なくとも1つを含み得る。いくつかの態様では、この情報は、経路損失情報、セル更新カウント情報、または登録カウント情報のうちの少なくとも1つを含み得る。
【００３７】
ブロック204によって表されるように、アクセス端末は、受信情報に基づいて分類される。たとえば、第1のタイプの受信情報(たとえば、測定報告メッセージ、MRM)は、第1のカテゴリーに属するこれらのアクセス端末(たとえば、アクセスポイントによってサービスされる必要があるアクセス端末)を識別するために使用される場合があり、第2のタイプの受信情報(たとえば、セル更新情報)は、第2のカテゴリーに属するこれらのアクセス端末(たとえば、アクセスポイントから保護される必要があるアクセス端末)を識別するために使用される場合があり、第3のタイプの受信情報(たとえば、登録情報)は、第3のカテゴリーに属するこれらのアクセス端末(たとえば、最初の2つのカテゴリーのいずれにも属さないアクセス端末)を識別するために使用される場合がある。
【００３８】
この分類は、様々な実装形態において様々な形式をとり得る。いくつかの例を続ける。
【００３９】
いくつかの態様では、この分類は、アクセス端末のうちのどれがアクセスポイントにより大量のMRMを送信したかを決定すること、または、測定報告メッセージに基づいて、アクセス端末のうちのどれがアクセスポイントまでのより小さい経路損失に関連付けられるかを決定することを含み得る。たとえば、(たとえば、規定されたパーセンテージまたはしきい値数に基づいて)最も多いMRMを送信したアクセス端末が、カテゴリー1アクセス端末に指定され得る。
【００４０】
いくつかの態様では、この分類は、アクセス端末のうちのどれがアクセスポイントに、無線リンク障害に関連付けられたより大量のセル更新(CU)メッセージを送信したかを決定することを含み得る。たとえば、(たとえば、規定されたパーセンテージまたはしきい値数に基づいて)最も多いCUメッセージ(ここで、CUメッセージは無線リンク障害(RLF)の原因値を含む)を送信したアクセス端末が、カテゴリー2アクセス端末に指定され得る。
【００４１】
いくつかの態様では、この分類は、少なくとも第1のカテゴリーのアクセス端末と第2のカテゴリーのアクセス端末とを識別することを含み得る。ここで、第1のカテゴリーは、アクセスポイントに送信された測定報告メッセージの量、または測定報告メッセージから導出された、アクセスポイントまでの経路損失に基づく場合があり、第2のカテゴリーは、アクセスポイントに送信されたセル更新メッセージ(たとえば、ここで、セル更新メッセージは、無線リンク障害に関連付けられる)の量に基づく場合がある。いくつかの態様では、この分類は、第1のカテゴリーまたは第2のカテゴリーに含まれないアクセス端末を含む第3のカテゴリーのアクセス端末を識別することをさらに含み得る。
【００４２】
いくつかの態様では、この分類は、アクセスポイントから最も頻繁にサービスを取得するアクセス端末の第1のサブセットを識別することを含み得る。たとえば、(たとえば、規定されたパーセンテージまたはしきい値数に基づいて)最も頻繁にアクセスポイントからサービスを取得するアクセス端末が、カテゴリー1アクセス端末に指定され得る。
【００４３】
いくつかの態様では、この分類は、アクセスポイントの少なくとも1つの隣接するアクセスポイントからサービスを取得するアクセス端末の第2のサブセットを識別することを含み得る。たとえば、(たとえば、規定されたパーセンテージまたはしきい値数に基づいて)1つまたは複数の隣接するアクセスポイントからサービスを頻繁に取得するアクセス端末が、カテゴリー2アクセス端末に指定され得る。
【００４４】
いくつかの態様では、この分類は、アクセスポイントによってターゲットレベルのサービスを提供されるアクセス端末の第1のサブセットを識別することを含み得る。たとえば、アクセスポイントから所与のレベルのサービスを必要とするアクセス端末が、カテゴリー1アクセス端末に指定され得る。
【００４５】
いくつかの態様では、この分類は、アクセスポイントの干渉から保護されるアクセス端末の第2のサブセットを識別することを含み得る。たとえば、アクセスポイントに近いがアクセスポイントによってサービスされないアクセス端末が、カテゴリー2アクセス端末に指定され得る。
【００４６】
ブロック206によって表されるように、アクセスポイントの送信電力は、アクセス端末の分類に基づいて決定される。たとえば、送信電力は、カテゴリー2アクセス端末を保護しながら、カテゴリー1アクセス端末にターゲットレベルのカバレージを提供するなど、競合要因を満足するように選択され得る。
【００４７】
ブロック206において決定される送信電力のタイプは、様々な実装形態において様々な形式をとり得る。たとえば、この送信電力は、総送信電力、他の送信電力を指定するために使用される基準送信電力(たとえば、パイロット送信電力)、最大送信電力、または何らかの他のタイプの送信電力を含み得る。
【００４８】
送信電力が決定される方法は、様々な実装形態で異なる場合がある。いくつかの例を続ける。
【００４９】
いくつかの態様では、送信電力の決定は、アクセス端末のうちの少なくとも1つからアクセスポイントに送信されたセル更新の量に基づく場合がある。本明細書で説明するように、無線リンク障害に関連付けられたセル更新は、特に注目され得る。たとえば、送信電力は、1つまたは複数のアクセス端末がアクセスポイントに比較的多数のセル更新を送信し、アクセス端末がアクセスポイントに接続される際にRLFを受けたことを示す場合、下向きに調整され得る。
【００５０】
いくつかの態様では、送信電力の決定は、第1のカテゴリーのアクセス端末に関連付けられた(ブロック202からの)第1のタイプの情報、および第2のカテゴリーのアクセス端末に関連付けられた第2のタイプの情報に基づく場合がある。いくつかの態様では、第1のタイプの情報は経路損失情報を含む場合があり、第2のタイプの情報はセル更新カウント情報を含む場合がある。いくつかの態様では、第1のカテゴリーのアクセス端末は、より大量の測定報告メッセージをアクセスポイントに送信したアクセス端末、またはアクセスポイントまでのより小さい経路損失に関連付けられたアクセス端末を含む場合があり、第2のカテゴリーのアクセス端末は、無線リンク障害に関連付けられたより大量のセル更新メッセージをアクセスポイントに送信したアクセス端末を含む場合がある。
【００５１】
いくつかの態様では、送信電力の決定は、第1のカテゴリーのアクセス端末に関連付けられた情報の第1のサブセットに基づいて、ターゲットカバレージ範囲にターゲット信号品質を提供する名目送信電力を決定することと、第2のカテゴリーのアクセス端末に関連付けられた情報の第2のサブセットに基づいて名目送信電力を調整することと含み得る。この場合、情報の第1のサブセットは経路損失情報を含む場合があり、情報の第2のサブセットはセル更新カウント情報を含む場合があり、第1のカテゴリーのアクセス端末は、より大量の測定報告メッセージをアクセスポイントに送信したアクセス端末、またはアクセスポイントまでのより小さい経路損失に関連付けられたアクセス端末を含む場合があり、第2のカテゴリーのアクセス端末は、無線リンク障害に関連付けられたより大量のセル更新メッセージをアクセスポイントに送信したアクセス端末を含む場合がある。
【００５２】
いくつかの態様では、送信電力の決定は、より大量の測定報告メッセージをアクセスポイントに送信した第1のカテゴリーのアクセス端末に関連付けられた経路損失情報に基づいて、ターゲットカバレージ範囲にターゲット信号品質を提供する名目送信電力を決定することと、第1のカテゴリーのアクセス端末と相互排他的であって、無線リンク障害に関連付けられたより大量のセル更新メッセージをアクセスポイントに送信した第2のカテゴリーのアクセス端末と相互排他的である第3のカテゴリーのアクセス端末に関連付けられた登録情報に基づいて名目送信電力を調整することとを含み得る。
【００５３】
図3は、本明細書の教示によって実装される送信電力制御方式のより包括的な例を示す。さらに、これらの動作は、アクセスポイントの送信電力を決定することと併せて、アクセスポイントまたは何らかの他の適切なエンティティによって実行され得る。
【００５４】
ブロック302によって表されるように、アクセスポイントの初期送信電力が決定される。たとえば、この動作は、アクセスポイントが初期の(たとえば、比較的安全で、しかも効果的な)電力レベルで送信するように、アクセスポイントがパワーアップまたはリセットされるとき、起動され得る。これは、固定された電力レベル(たとえば、最大電力)、または初期電力較正アルゴリズム(たとえば、ネットワークリッスンベースの電力較正)を使用して決定された電力レベルのいずれかであり得る。
【００５５】
次いで、ブロック304〜308の動作は、ネットワーク状態に基づいて送信電力を較正(たとえば、調整)するために繰り返し(たとえば、周期的に)起動される。たとえば、すべての指定周期の最後に、送信電力の更新情報が決定され、アクセスポイントのRF送信機に適用される。この周期的動作は、アクセスポイントが電源を切られるか、または再起動されるまでいずれにしても継続し得る。代替として、設定可能な数の較正周期のみが起動され得る。
【００５６】
ブロック304によって表されるように、アクセス端末(たとえば、UE)統計量が、受信情報に基づいて収集される。例示的な実装形態では、次の3つのタイプのUE統計量が収集される。アクセスポイントとのアクティブな呼を有するUEによって発されたMRMから、測定報告情報統計量322が収集される。原因値=無線リンク障害(RLF)である、アクセスポイント上のこれらのセル更新に関して、セル更新情報統計量324が収集される。加えて、アクセスポイント上のアクセス端末登録に基づくUE登録情報統計量326が収集される。
【００５７】
ブロック306によって表されるように、アクセスポイントに関連付けられたアクセス端末(たとえば、UE)は、ブロック304からの統計量に基づいて分類される。例示的な実装形態では、3つのUEカテゴリーが、続く3つの基準に基づいて規定される。
【００５８】
第1のカテゴリーは、このカテゴリーのアクセス端末がアクセスポイントに対するホームUE(HUE)と考えられ得るので、HUEに指定される(オープンアクセスモードであっても、真のHUEは存在しない)。これは、HUEデータベース中に最も多くのMRM報告を有する上位NHUE個の(または、それより少ない)UEである。各HUEは、HUEとしての資格を得るのに必要な最小数のMRM報告に関する基準(ThresholdMRM)を満足する必要もあり得る。
【００５９】
第2のカテゴリーは、このカテゴリーのアクセス端末がアクセスポイントによる送信から「保護」される必要があるアクセス端末であるので、PUEに指定される。これは、CUデータベース中に最も多くのセル更新(CU)メッセージを有する上位NPUE個の(または、それより少ない)UEである。各PUEは、PUEとしての資格を得るのに必要な最小数のCUメッセージに関する基準(ThresholdCU)を満足する必要もあり得る。
【００６０】
第3のカテゴリーは、このカテゴリーのアクセス端末がマクロUE(MUE)と見なされ得るので、MUEに指定される。このカテゴリーは、HUEまたはPUEカテゴリーに含まれないすべての他のアクセス端末を含み得る。
【００６１】
ブロック308によって表されるように、次いで、送信電力が、ブロック306の分類に基づいて計算される。例示的な実装形態では、適用可能な場合、HUE、PUE、MUEの統計量を使用して電力更新プロシージャが実行される。HUE報告を使用したプロシージャの第1の態様では、カバレージ範囲が推定され、RF不一致補正が実行され、名目送信電力値が計算される。このプロシージャの第2の態様では、送信電力が、PUEおよび/またはMUEの統計量に基づいて、ならびに名目送信電力基づいて更新される。
【００６２】
図4は、受信情報に基づいて統計量を生成することと併せて実行され得る動作の一例を示す。本明細書で説明するように、これらの動作は、繰り返し(たとえば、周期的に)実行され得る。この例では、第1の統計量450、第2の統計量460、および第3の統計量470を含む、3つのタイプの統計量が生成される。様々な統計量が任意の順序でまたは順不同で(たとえば、並行して)決定され得るので、図4における数字表示またはその示されたシーケンスは順序付けを意味しないことを諒解されたい。他の実装形態では、異なる統計量のタイプおよび/または異なる数の統計量のタイプが生成され得ることも諒解されたい。
【００６３】
ブロック402によって表されるように、アクセスポイントとのアクティブな呼を有するアクセス端末からのMRMが受信される。後の電力更新で使用するために、これらのMRMから抽出された様々な情報が取得され得る。たとえば、各MRMに関連付けられたアクセス端末識別子(たとえば、国際モバイル加入者識別情報、IMSI)が取得され得る。加えて、各MRMに含まれる経路損失情報が取得され得る。いくつかのシナリオでは、所与のアクセス端末のMRMからの情報の収集が停止され得る。たとえば、アクセス端末のアクティブな呼の継続時間がしきい値時間制限を超える場合、呼が終了するまで収集が停止され得る。
【００６４】
ブロック404によって表されるように、ブロック402において受信されたMRMから測定報告統計量が生成される。次いで、これらの統計量は、後で使用するためにデータベースに記憶される。たとえば、受信されたMRMの数が集計され得る。ブロック402においてアクセス端末識別子も取得されるシナリオでは、各アクセス端末から受信されたMRMの数が集計され得る。また、アクセスポイントとアクセス端末との間の報告された各経路損失の大きさ(たとえば、dB単位)が記録され得る。
【００６５】
ブロック406によって表されるように、原因値=RLFを有するセル更新メッセージが受信される。後の電力更新で使用するために、セル更新メッセージに関連付けられた様々な情報が取得され得る。たとえば、各セル更新メッセージを送信した各アクセス端末のアクセス端末識別子が取得され得る。ここで、アクセスポイントは、アクセス端末からセル更新メッセージを受信した後、アクセス端末の識別子を要求するメッセージをアクセス端末に送信する場合がある。また、セル更新メッセージが受信されたときに使用されている送信電力が記録され得る。
【００６６】
ブロック408によって表されるように、ブロック406において受信されたセル更新メッセージからセル更新統計量が生成される。次いで、これらの統計量は、後で使用するためにデータベースに記憶される。たとえば、受信されたセル更新メッセージの数が集計され得る。ブロック406においてアクセス端末識別子も取得されるシナリオでは、各アクセス端末から受信されたセル更新メッセージの数が集計され得る。
【００６７】
いくつかの実装形態では、カテゴリー1アクセス端末(たとえば、HUE)に分類されたアクセス端末に関するセル更新統計量は維持されない。本明細書で説明するように、異なるカテゴリーのアクセス端末(たとえば、PUE)がセル更新統計量に基づいて規定され得る。これらのカテゴリー間の潜在的な競合(たとえば、送信電力がどのように設定されるかに関して)を考慮すると、一般に、第1および第2のカテゴリーのアクセス端末をそれらが相互排他的であるように規定するのが望ましい。
【００６８】
ブロック410によって表されるように、登録メッセージ(たとえば、RRC接続要求メッセージ)が受信される。後の電力更新で使用するために、登録メッセージに関連付けられた様々な情報が取得され得る。たとえば、各登録メッセージに関連付けられたアクセス端末識別子が取得され得る。加えて、登録メッセージが受信されたときに使用されている送信電力が記録され得る。
【００６９】
いくつかの実装形態では、登録メッセージに含まれる経路損失情報(たとえば、アクセス端末からアクセスポイントまでの経路損失)が記録され得る。この情報は、たとえば、アクセスポイントのカバレージエリアのサイズ(たとえば、カバレージ占有面積)を示し得る。
【００７０】
ブロック412によって表されるように、ブロック410において受信された登録メッセージから登録統計量が生成される。次いで、これらの統計量は、後で使用するためにデータベースに記憶される。たとえば、受信された登録メッセージの数が集計され得る。ブロック410においてアクセス端末識別子も取得されるシナリオでは、各アクセス端末から受信された登録メッセージの数が集計され得る。また、アクセスポイントとアクセス端末との間の報告された任意の経路損失の大きさが記録され得る。
【００７１】
いくつかの実装形態では、カテゴリー1アクセス端末(たとえば、HUE)またはカテゴリー2アクセス端末(たとえば、PUE)に分類されたアクセス端末に関する登録統計量は維持されない。たとえば、MUEに関する登録統計量のみが収集され得る。
【００７２】
図5は、アクセス端末を分類することと併せて実行され得る動作の一例を示す。本明細書で説明するように、これらの動作は、繰り返し(たとえば、周期的に)実行され得る。この例では、3つのタイプのカテゴリーが規定される。他の実装形態では、異なるカテゴリータイプおよび/または異なる数のカテゴリータイプが生成され得ることを諒解されたい。
【００７３】
ブロック502によって表されるように、アクセス端末の分類のために使用されるアクセス端末情報が取得される。たとえば、ブロック502の動作は、図4の動作に対応し得る。
【００７４】
ブロック504によって表されるように、第1のカテゴリーのアクセス端末は、ブロック502において取得されたアクセス端末情報の第1のサブセットに基づいて識別される。いくつかの実装形態では、HUEの組は、受信されたMRMを介して取得されたMRM情報に基づいて識別される。たとえば、MRM報告データベース中に「N」個の一意のIMSIが存在すると仮定すると、これらの「N」個のIMSIの降順ソートが、各IMSIに関連付けられたMRMの数に基づいて実行される。次いで、上位「X」のIMSIが選択され得る。上位「X」のIMSIが様々な方法で資格を与えられ得る。たとえば、しきい値を超えるMRMの数を有する任意の数のIMSIが選択され得る。別の例として、IMSIの一定のパーセンテージ(たとえば、上位15%)が選択され得る。また別の例として、「X」は規定された数である場合がある。
【００７５】
いくつかの実装形態では、所与のIMSIがHUEに分類されるべきかどうかに関する決定は、対応するアクセス端末までの経路損失に基づく場合がある。たとえば、いくつかの場合には、しきい値経路損失以下の経路損失に関連付けられたこれらのIMSIのみがHUEに指定される。
【００７６】
ブロック506によって表されるように、第2のカテゴリーのアクセス端末は、ブロック502において取得されたアクセス端末情報の第2のサブセットに基づいて識別される。いくつかの実装形態では、PUEの組は、受信されたセル更新メッセージを介して取得されたセル更新情報に基づいて識別される。たとえば、PUE報告データベース中に「N」個の一意のIMSIが存在すると仮定すると、これらの「N」個のIMSIの降順ソートが、各IMSIに関連付けられたセル更新の数に基づいて実行される。次いで、上位「X」のIMSIが選択され得る。上位「X」のIMSIが様々な方法で資格を与えられ得る。たとえば、しきい値を超えるセル更新の数を有する任意の数のIMSIが選択され得る。別の例として、IMSIの一定のパーセンテージ(たとえば、上位15%)が選択され得る。また別の例として、「X」は規定された数である場合がある。
【００７７】
上述のように、HUEの組およびPUEの組は、相互排他的であり得る。したがって、PUE報告データベースに基づいて識別されたIMSIのアクセス端末がすでにHUEに分類されたかどうかを決定するために、検査が実行され得る。そうである場合、これらのHUE IMSIは、PUEカテゴリーに含まれない。
【００７８】
ブロック508によって表されるように、第3のカテゴリーのアクセス端末は、ブロック502において取得されたアクセス端末情報の第3のサブセットに基づいて識別される。いくつかの実装形態では、MUEの組は、受信された登録メッセージを介して取得された登録情報に基づいて識別される。たとえば、受信された登録メッセージ、または第1のカテゴリー(たとえば、HUE)または第2のカテゴリー(たとえば、PUE)に分類されなかった他のタイプのメッセージ(たとえば、MRMおよびセル更新メッセージ)に関連付けられたIMSIのすべては、第3のカテゴリー(たとえば、MUE)に割り当てられ得る。
【００７９】
図6は、アクセスポイントによって使用される送信電力を決定することと併せて実行され得る動作の一例を示す。
【００８０】
ブロック602によって表されるように、経路損失情報、セル更新メッセージの数、登録情報の数、およびアクセス端末の分類などのアクセス端末情報が取得される。たとえば、ブロック602の動作は、図4および図5の動作に対応し得る。
【００８１】
ブロック604によって表されるように、ターゲットカバレージ範囲が推定される。たとえば、ターゲット経路損失は、どんな経路損失値が「X」パーセント(たとえば、95%)のHUEにカバレージを提供するかを決定することによって決定され得る。このターゲット経路損失は、たとえば、HUEのMRM経路損失情報から(たとえば、HUE経路損失値に累積分布関数を適用することによって)取得され得る。
【００８２】
ブロック606によって表されるように、名目(たとえば、仮の)送信電力が、ブロック604において計算されたターゲットカバレージ範囲に基づいて決定される。いくつかの態様では、この動作は、ターゲットカバレージ範囲の縁部におけるターゲット信号品質(たとえば、信号対雑音比)を達成するのに必要な送信電力を決定することを含み得る。いくつかの態様では、この動作は、隣接チャネルへの潜在的な漏洩の主要因となる場合がある。たとえば、ターゲットカバレージ要件を満たすように計算された送信電力が極めて大きい隣接チャネル干渉をもたらすと判定される場合、送信電力がある程度下向きに調整される隣接チャネル保護が採用され得る。
【００８３】
ブロック608によって表されるように、最終的な送信電力が決定される。たとえば、ブロック606において計算された名目送信電力は、現在または過去の状態(たとえば、ブロック602において取得されたアクセス端末情報によって示される)に応じて上向きまたは下向きに調整され得る。これらの要因を考慮するアルゴリズムの例を続ける。
【００８４】
アルゴリズムの第1の部分では、受信されたセル更新メッセージの数がしきい値以上であるかどうかに関して決定が行われる。様々な実装形態では、この決定は、(たとえば、どのアクセス端末がメッセージを送信したかとは無関係に)セル更新メッセージの総数、および/または、個々のアクセス端末によって送信されたセル更新メッセージの数(たとえば、しきい値数のアクセス端末がしきい値数のセル更新メッセージを送信したかどうか)に基づく場合がある。
【００８５】
しきい値条件を満たす場合、名目送信電力は、これらのセル更新メッセージを送信したアクセス端末(たとえば、RLFを受けたアクセス端末)に対する干渉を緩和するために低減され得る。送信電力を適応させる方法は、様々な実装形態で異なる場合がある。いくつかの場合には、送信電力は、あらかじめ規定された値によって低減される。いくつかの場合には、送信電力の低減の大きさは、受信されたセル更新メッセージの数がしきい値を超える程度に基づく。たとえば、電力低減の大きさは、受信されたセル更新メッセージの数が大きいマージンでしきい値を超えるシナリオでは、受信されたセル更新メッセージの数がより小さいマージンでしきい値を超えるシナリオと比較して、より大きい。アクセス端末ベースでセル更新メッセージの数が維持される場合、送信電力の低減の大きさは、どれくらいの数のアクセス端末がしきい値を超える量のセル更新メッセージを受信したかに基づく場合がある。
【００８６】
アルゴリズムの第2の部分は、アルゴリズムの第1の部分が名目送信電力の低減をもたらさない場合に起動され得る。たとえば、セル更新メッセージ制限に達しない(たとえば、受信されたセル更新メッセージの数がしきい値を超えない)場合、送信電力が何らかの他の要因または複数の要因に基づいて上向きまたは下向きに調整され得るかどうかを決定するために、アルゴリズムの第2の部分において検査が実行され得る。
【００８７】
アルゴリズムの第2の部分の例として、電力が増加され得るか、または減少される必要があるかに関する決定が、登録統計量に基づいて行われ得る。たとえば、受信された登録メッセージの数がしきい値以下であるかどうかに関して決定が行われる。様々な実装形態では、この決定は、(たとえば、どのアクセス端末がメッセージを送信したかとは無関係に)登録メッセージの総数、および/または、個々のアクセス端末によって送信された登録メッセージの数(たとえば、しきい値数よりも少ないアクセス端末がしきい値数の登録メッセージを送信したかどうか)に基づく場合がある。
【００８８】
しきい値条件を満たす(たとえば、受信された登録メッセージの数がしきい値よりも少ない)場合、システム内のアクセス端末に対する干渉を著しく増加させることなく送信電力の少なくともあるレベルの増加が達成され得ることが予測されるので、名目送信電力が増加され得る。逆に、しきい値条件を満たさない(たとえば、受信された登録メッセージの数がしきい値よりも大きい)場合、名目送信電力は、近接するアクセス端末(たとえば、登録メッセージを送信したアクセス端末)に対する干渉を緩和するために低減され得る。
【００８９】
送信電力を適応させる方法は、様々な実装形態で異なる場合がある。いくつかの場合には、送信電力は、あらかじめ規定された値によって低減される。いくつかの場合には、送信電力の低減の大きさは、受信されたセル登録メッセージの数がしきい値を下回るか、または超える程度に基づく。たとえば、電力増加の大きさは、受信された登録メッセージの数が大きいマージンでしきい値を下回るシナリオでは、受信された登録メッセージの数がより小さいマージンでしきい値を下回るシナリオと比較して、より大きい。別の例として、電力低減の大きさは、受信された登録メッセージの数が大きいマージンでしきい値を超えるシナリオでは、受信された登録メッセージの数がより小さいマージンでしきい値を超えるシナリオと比較して、より大きい。アクセス端末ベースで登録メッセージの数が維持される場合、送信電力の増加(または減少)の大きさは、どれくらいの数のアクセス端末がしきい値を下回る(または超える)量の登録メッセージを受信したかに基づく場合がある。
【００９０】
いくつかの態様では、送信電力調整の大きさは、経路損失情報に基づく場合がある。たとえば、アクセスポイントまでのほとんどのMUE(たとえば、95%)の経路損失距離が少なくとも100dBであり、ターゲットカバレージ範囲(HUEに関する)が80dBである場合、20dBだけ送信電力を増加させるのが安全であるはずであり、その理由は、電力のこの増加が一般に少数のMUE(たとえば、5%)にしか影響を及ぼさないからである。
【００９１】
図7は、本明細書で教示するように、送信電力制御動作をサポートするために、装置702、装置704、および装置706(たとえば、それぞれ、アクセス端末、アクセスポイント、およびネットワークエンティティに対応する)に組み込まれ得る(対応するブロックによって表される)いくつかの例示的な構成要素を示す。これらの構成要素は、様々な実装形態(たとえば、ASIC、SoCなど)における様々なタイプの装置に実装され得ることを諒解されたい。記載された構成要素は、通信システム内の他の装置に組み込むこともできる。たとえば、システム内の他の装置は、同様の機能を提供するために説明する構成要素と同様の構成要素を含み得る。また、所与の装置は、記載される構成要素のうちの1つまたは複数を含むことができる。たとえば、装置は、装置が複数のキャリア上で動作し、かつ/または様々な技術を介して通信することを可能にする複数のトランシーバ構成要素を含み得る。
【００９２】
装置702および装置704は各々、少なくとも1つの指定された無線アクセス技術を介して他のノードと通信するための(それぞれ、通信デバイス708および714(および装置704がリレーである場合は通信デバイス720)によって表される)少なくとも1つのワイヤレス通信デバイスを含む。各通信デバイス708は、信号(たとえば、メッセージ、表示、情報など)を送信し符号化するための(送信機710によって表される)少なくとも1つの送信機と、信号(たとえば、メッセージ、表示、情報、パイロットなど)を受信し復号するための(受信機712によって表される)少なくとも1つの受信機とを含む。同様に、各通信デバイス714は、信号(たとえば、メッセージ、表示、情報、パイロットなど)を送信するための(送信機716によって表される)少なくとも1つの送信機と、信号(たとえば、メッセージ、表示、情報など)を受信するための(受信機718によって表される)少なくとも1つの受信機とを含む。装置704がリレーアクセスポイントである場合、各通信デバイス720は、信号(たとえば、メッセージ、表示、情報、パイロットなど)を送信するための(送信機722によって表される)少なくとも1つの送信機と、信号(たとえば、メッセージ、表示、情報など)を受信するための(受信機724によって表される)少なくとも1つの受信機とを含み得る。
【００９３】
送信機および受信機は、いくつかの実装形態では(たとえば、単一の通信デバイスの送信機回路および受信機回路として実施される)集積デバイスを含むことができるか、またはいくつかの実装形態では独立した送信機デバイスおよび独立した受信機デバイスを含むことができるか、または他の実装形態では他の方法で実施され得る。いくつかの態様では、装置704のワイヤレス通信デバイス(たとえば、複数のワイヤレス通信デバイスのうちの1つ)は、ネットワークリッスンモジュールを含む。
【００９４】
装置706(および装置704がリレーアクセスポイントでない場合は装置704)は、他のノードと通信するための(通信デバイス726および場合によっては720によって表される)少なくとも1つの通信デバイスを含む。たとえば、通信デバイス726は、ワイヤベースのまたはワイヤレスのバックホールを介して1つまたは複数のネットワークエンティティと通信するように構成されたネットワークインターフェースを含むことができる。いくつかの態様では、通信デバイス726は、ワイヤベースのまたはワイヤレスの信号通信をサポートするように構成されたトランシーバとして実装され得る。この通信は、たとえば、メッセージ、パラメータ、または他のタイプの情報を送信および受信するステップを含むことができる。したがって、図7の例では、通信デバイス726は、送信機728および受信機730を含むものとして示される。同様に、装置704がリレーアクセスポイントでない場合、通信デバイス720は、有線ベースのまたはワイヤレスのバックホールを介して1つまたは複数のネットワークエンティティと通信するように構成されたネットワークインターフェースを含み得る。通信デバイス726と同様に、通信デバイス720は、送信機722および受信機724を含むものとして示される。
【００９５】
装置702、704、および706は、本明細書で教示する送信電力制御動作と併せて使用され得る他の構成要素も含む。装置702は、たとえば、本明細書で教示する送信電力制御のための情報を生成することに関連する機能を提供し、他の処理機能を提供するための処理システム732を含む。装置704は、たとえば、本明細書で教示する送信電力制御に関連する機能を提供し、他の処理機能を提供するための処理システム734を含む。装置706は、たとえば、本明細書で教示する送信電力制御に関連する機能を提供し、他の処理機能を提供するための処理システム736を含む。装置702、704、および706は、それぞれ、情報(たとえば、電力制御のために使用される情報、しきい値、パラメータなど)を維持するためのメモリデバイス738、740、および742(たとえば、各々がメモリデバイスを含む)を含む。加えて、装置702、704、および706は、それぞれ、ユーザに表示(たとえば、可聴および/または視覚表示)を与えるため、および/または(たとえば、キーパッド、タッチスクリーン、マイクロフォンなどの検知デバイスをユーザが作動させると)ユーザ入力を受信するためのユーザインターフェースデバイス744、746、および748を含む。
【００９６】
便宜上、装置702は、本明細書で説明する様々な例で使用され得る構成要素を含むものとして図7に示す。実際には、図示したブロックは、様々な態様において異なる機能を有する可能性がある。たとえば、図4の動作のためのブロック734の機能は、図5の動作のためのブロック734の機能とは異なる可能性がある。
【００９７】
図7の構成要素は、様々な方法で実装され得る。いくつかの実装形態では、図7の構成要素は、たとえば1つもしくは複数のプロセッサおよび/または(1つまたは複数のプロセッサを含み得る)1つもしくは複数のASICなどの、1つまたは複数の回路において実装され得る。ここで、各回路は、この機能を提供する回路によって使用される情報または実行可能コードを記憶するための少なくとも1つのメモリ構成要素を使用し、かつ/または組み込み得る。たとえば、ブロック708、732、738、および744によって表される機能のいくつかまたはすべては、装置702のプロセッサおよびメモリ構成要素によって(たとえば、適切なコードの実行によっておよび/またはプロセッサ構成要素の適切な構成によって)実装され得る。同様に、ブロック714、720、734、740、および746によって表される機能のいくつかまたはすべては、装置704のプロセッサおよびメモリ構成要素によって(たとえば、適切なコードの実行によっておよび/またはプロセッサ構成要素の適切な構成によって)実装され得る。また、ブロック726、736、742、および748によって表される機能のいくつかまたはすべては、装置706のプロセッサおよびメモリ構成要素によって(たとえば、適切なコードの実行によっておよび/またはプロセッサ構成要素の適切な構成によって)実装され得る。
【００９８】
上で論じられたように、いくつかの態様では、本明細書の教示は、大規模なカバレッジ(たとえば、通常はマクロセルネットワークまたはWANと呼ばれる、3G/4Gネットワークなどの広域セルラーネットワーク)と、より小規模のカバレッジ(たとえば、通常はLANと呼ばれる、住宅ベースまたは建物ベースのネットワーク環境)とを含むネットワーク中で利用され得る。アクセス端末(AT)がそのようなネットワークを通じて移動する際、アクセス端末は、いくつかのロケーションでは、マクロカバレッジを提供するアクセスポイントによってサービスされ得るが、アクセス端末は、他のロケーションでは、より小規模のカバレッジを提供するアクセスポイントによってサービスされ得る。いくつかの態様では、より小さいカバレージノードは、(たとえば、よりロバストなユーザエクスペリエンスのために、)漸進的なキャパシティ増大、屋内カバレージ、および異なるサービスを提供するために使用され得る。
【００９９】
本明細書の説明では、比較的大きいエリアにわたるカバレージを提供するノード(たとえば、アクセスポイント)はマクロアクセスポイントと呼ぶことができ、比較的小さいエリア(たとえば、住宅、商業ビル内)にわたるカバレージを提供するノードはスモールセルと呼ぶことができる。様々な適用例で、マクロアクセスポイント、スモールセル、または他のアクセスポイントタイプのノードに言及するために、他の用語が使用され得る。たとえば、マクロアクセスポイントは、アクセスノード、基地局、アクセスポイント、eノードB、マクロセルなどとして構成されるか、またはそのように呼ばれ得る。いくつかの実装形態では、ノードは、1つまたは複数のセルまたはセクタに関連付けられ得る(たとえば、そのように呼ばれるか、またはそれらに分割され得る)。マクロアクセスポイント、またはスモールセルアクセスポイントに関連するセルまたはセクタはそれぞれ、マクロセル、またはスモールセルと呼ばれ得る。
【０１００】
図8は、本明細書の教示が実装され得る、何人かのユーザをサポートするように構成されたワイヤレス通信システム800を示す。システム800は、たとえばマクロセル802A〜802Gなどの複数のセル802のための通信を提供し、各セルは、対応するアクセスポイント804(たとえば、アクセスポイント804A〜804G)によってサービスされる。図8に示すように、アクセス端末806(たとえば、アクセス端末806A〜806L)は、時間とともにシステム全体にわたって様々な場所に分布し得る。各アクセス端末806は、たとえばアクセス端末806が作動中であるかどうか、およびソフトハンドオフにあるかどうかに応じて、所与の瞬間に順方向リンク(FL)および/または逆方向リンク(RL)上の1つまたは複数のアクセスポイント804と通信し得る。ワイヤレス通信システム800は、大きい地理的エリアにわたってサービスを提供し得る。たとえば、マクロセル802A〜802Gは、近傍の数ブロック、または地方環境における数マイルをカバーし得る。
【０１０１】
図9は、1つまたは複数のスモールセルがネットワーク環境内に展開される、通信システム900の一例を示す。具体的には、システム900は、比較的小さいスケールのネットワーク環境内(たとえば、1つまたは複数のユーザ住宅930内)に設置された複数のスモールセル910(たとえば、スモールセル910Aおよび910B)を含む。各スモールセル910は、DSLルータ、ケーブルモデム、ワイヤレスリンク、または他の接続手段(図示せず)を介してワイドエリアネットワーク940(たとえば、インターネット)および携帯電話事業者コアネットワーク950に結合され得る。以下で論じるように、各スモールセル910は、関連するアクセス端末920(たとえば、アクセス端末920A)、および場合によっては他の(たとえば、ハイブリッドまたは異種の)アクセス端末920(たとえば、アクセス端末920B)にサービスするように構成され得る。言い換えれば、スモールセル910へのアクセスは、所与のアクセス端末920が1組の指定された(たとえば、ホーム)スモールセル910によってサービスされ得るが、任意の指定されていないスモールセル910(たとえば、近接するスモールセル910)によってサービスされ得ないように制限することができる。
【０１０２】
図10に、各々がいくつかのマクロカバレージエリア1004を含むいくつかのトラッキングエリア1002(またはルーティングエリアまたはロケーションエリア)が画定されたカバレージマップ1000の一例を示す。ここでは、トラッキングエリア1002A、1002B、および1002Cに関連するカバレージエリアが太線によって描かれ、マクロカバレージエリア1004が比較的大きい六角形によって表されている。トラッキングエリア1002は、スモールセルカバレージエリア1006も含む。この例では、スモールセルカバレージエリア1006(たとえば、スモールセルカバレージエリア1006Bおよび1006C)の各々は、1つまたは複数のマクロカバレージエリア1004(たとえば、マクロカバレージエリア1004Aおよび1004B)内に示されている。しかしながら、スモールセルカバレージエリア1006のいくつかまたはすべては、マクロカバレージエリア1004内にはない場合があることを諒解されたい。実際には、多数のスモールセルカバレージエリア1006(たとえば、スモールセルカバレージエリア1006Aおよび1006D)は、所与のトラッキングエリア1002またはマクロカバレージエリア1004内に画定され得る。
【０１０３】
再び図9を参照すると、スモールセル910の所有者は、たとえば、携帯電話事業者コアネットワーク950を介して提供される3G/4Gモバイルサービスなどの、モバイルサービスに加入することができる。加えて、アクセス端末920は、マクロ環境中と、より小規模(たとえば、住宅)のネットワーク環境中の両方で動作することが可能であり得る。言い換えれば、アクセス端末920の現在の位置に応じて、アクセス端末920は、携帯電話事業者コアネットワーク950に関連するマクロセルアクセスポイント960によって、または一組のスモールセル910(たとえば、対応するユーザの住宅930内にあるスモールセル910Aおよび910B)のうちのいずれか1つによってサービスされ得る。たとえば、加入者がその家の外部にいるときは、加入者は標準的なマクロアクセスポイント(たとえば、アクセスポイント960)によってサービスされ、かつ加入者が家にいるときは、加入者は、スモールセル(たとえば、スモールセル910A)によってサービスされる。ここで、スモールセル910は、レガシーアクセス端末920と後方互換性がある可能性がある。
【０１０４】
スモールセル910は、単一の周波数上か、または代替として複数の周波数上に展開され得る。特定の構成に応じて、単一の周波数か、または複数の周波数のうちの1つもしくは複数が、マクロアクセスポイント(たとえば、アクセスポイント960)によって使用される1つまたは複数の周波数と重なることがある。
【０１０５】
いくつかの態様では、アクセス端末920は、そのような接続が可能であるときはいつでも、好ましいスモールセル(たとえば、アクセス端末920のホームスモールセル)に接続するように構成することができる。たとえば、アクセス端末920Aがユーザの住宅930内にあるときはいつでも、アクセス端末920Aは、ホームスモールセル910Aまたは910Bとだけ通信するのが望ましい場合がある。
【０１０６】
いくつかの態様では、アクセス端末920がマクロセルラーネットワーク950内で動作するが、(たとえば、好ましいローミングリスト内に定義された)その最も好ましいネットワーク上に存在していない場合、アクセス端末920は、より良いシステムが現在利用可能かどうかを判定し、続いてそのような好ましいシステムを取得するための利用可能なシステムの周期的走査を含み得るベターシステム再選択(BSR)プロシージャを使用して、最も好ましいネットワーク(たとえば、好ましいスモールセル910)を探索し続けることができる。アクセス端末920は、特定の帯域およびチャネルの探索を制限し得る。たとえば、1つまたは複数のスモールセルチャネルは、領域内のすべてのスモールセル(またはすべての制限スモールセル)がスモールセルチャネル上で動作するように定義され得る。最も好ましいシステムの探索は、周期的に繰り返すことができる。好ましいスモールセル910を発見すると、アクセス端末920は、スモールセル910を選択し、そのカバレージエリア内にあるとき、使用するためにアクセス端末920上に登録する。
【０１０７】
いくつかの態様では、スモールセルへのアクセスは制限され得る。たとえば、所与のスモールセルは、いくつかのアクセス端末にいくつかのサービスを提供することしかできない。いわゆる制限された(または限定された)アクセスを有する展開では、所与のアクセス端末は、マクロセルモバイルネットワークおよび規定された組のスモールセル(たとえば、対応するユーザ住宅930内に存在するスモールセル910)のみによってサービスされ得る。いくつかの実装形態では、アクセスポイントは、少なくとも1つのノード(たとえば、アクセス端末)に、シグナリング、データアクセス、登録、問合せ、またはサービスのうちの少なくとも1つを提供しないように制限され得る。
【０１０８】
いくつかの態様では、(限定加入者グループホームノードBと呼ばれることもある)制限スモールセルは、制限付きの供給された組のアクセス端末にサービスを提供するスモールセルである。この組は、必要に応じて一時的または永続的に拡張され得る。いくつかの態様では、限定加入者グループ(CSG)は、アクセス端末の共通アクセス制御リストを共有するアクセスポイント(たとえば、スモールセル)の組として定義することができる。
【０１０９】
所与のスモールセルと所与のアクセス端末との間には、このように様々な関係が存在する可能性がある。たとえば、アクセス端末の観点から、オープンスモールセルは、アクセスが制限されていないスモールセルを指す可能性がある(たとえば、スモールセルは、どんなアクセス端末にもアクセスすることができる)。制限スモールセルは、何らかの方式で制限された(たとえば、アクセスおよび/または登録に関して制限された)スモールセルを指す可能性がある。ホームスモールセルは、アクセス端末がアクセスし動作し続けることを認可されるスモールセルを指す可能性がある(たとえば、1つまたは複数のアクセス端末の定義された組に永続的アクセスが提供される)。ハイブリッド(またはゲスト)スモールセルは、様々なアクセス端末に様々なレベルのサービスが提供されるスモールセルを指す可能性がある(たとえば、いくつかのアクセス端末は部分的および/または一時的なアクセスが許可されるが、他のアクセス端末はフルアクセスが許可され得る)。異種のスモールセルは、おそらく緊急事態(たとえば911呼)を除いて、アクセス端末がアクセスし、または動作し続けることを認可されないスモールセルを指す可能性がある。
【０１１０】
制限スモールセルの観点から、ホームアクセス端末は、そのアクセス端末の所有者の住宅内にインストールされた制限スモールセルにアクセスするのを認可されたアクセス端末を指す可能性がある(通常、ホームアクセス端末は、そのスモールセルへの永続的アクセスを有する)。ゲストアクセス端末は、制限された(たとえば、最終期限、使用時間、バイト、接続カウント、または何らかの他の1つもしくは複数の基準に基づいて制限された)スモールセルへの一時的なアクセスを有するアクセス端末を指す可能性がある。異種のアクセス端末は、おそらく緊急事態、たとえば911呼などを除いて、制限スモールセルにアクセスする許可を有しないアクセス端末(たとえば、制限スモールセルに登録する資格証明または許可を有しないアクセス端末)を指す可能性がある。
【０１１１】
便宜上、本明細書の開示は、スモールセルの文脈で様々な機能について説明する。しかしながら、ピコアクセスポイントが、より大きなカバレージエリアに対して同一または類似の機能を提供し得ることを諒解されたい。たとえば、ピコアクセスポイントは制限される可能性があり、ホームピコアクセスポイントは所与のアクセス端末に対して定義され得るなどである。
【０１１２】
本明細書の教示は、複数のワイヤレスアクセス端末の通信を同時にサポートするワイヤレス多元接続通信システムにおいて採用され得る。ここで、各端末は、順方向および逆方向のリンク上の送信を介して1つまたは複数のアクセスポイントと通信し得る。順方向リンク(またはダウンリンク)は、アクセスポイントから端末までの通信リンクを指し、逆方向リンク(またはアップリンク)は、端末からアクセスポイントまでの通信リンクを指す。この通信リンクは、単入力単出力システム、多入力多出力(MIMO)システム、または何らかの他のタイプのシステムを介して確立され得る。
【０１１３】
MIMOシステムは、データ送信のために複数(NT個)の送信アンテナおよび複数(NR個)の受信アンテナを採用する。NT個の送信アンテナおよびNR個の受信アンテナによって形成されるMIMOチャネルは、空間チャネルとも呼ばれるNS個の独立チャネルに分解することができ、ここで、NS≦min{NT,NR}である。NS個の独立チャネルの各々は1つの次元に対応する。複数の送信アンテナおよび受信アンテナによって生成された追加の次元数が利用される場合、MIMOシステムは改善されたパフォーマンス(たとえば、より高いスループットおよび/またはより大きい信頼性)を提供し得る。
【０１１４】
MIMOシステムは、時分割複信(TDD)および周波数分割複信(FDD)をサポートし得る。TDDシステムでは、順方向リンク送信および逆方向リンク送信が同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【０１１５】
図11は、例示的なMIMOシステム1100のワイヤレスデバイス1110(たとえば、アクセスポイント)およびワイヤレスデバイス1150(たとえば、アクセス端末)を示す。デバイス1110において、いくつかのデータストリームのトラフィックデータが、データソース1112から送信(TX)データプロセッサ1114に提供される。各データストリームは、次いで、それぞれの送信アンテナを通じて送信され得る。
【０１１６】
TXデータプロセッサ1114は、そのデータストリームに対して選択された特定のコーディング方式に基づいて、各データストリームのトラフィックデータをフォーマットし、コーディングし、インターリーブして、符号化されたデータを提供する。各データストリームのコーディングされたデータは、OFDM技法を使用してパイロットデータと多重化され得る。パイロットデータは、一般的には、既知の方法で処理される既知のデータパターンであり、チャネル応答を推定するために、受信機システムで使用され得る。次いで、多重化されたパイロットおよび各データストリームのコーディングされたデータは、変調シンボルを提供するためにそのデータストリームについて選択された特定の変調方式(たとえばBPSK、QSPK、M-PSK、またはM-QAM)に基づいて変調される(すなわち、シンボルマップされる)。各データストリームのデータレート、コーディング、および変調は、プロセッサ1130によって実行される命令によって判定され得る。データメモリ1132は、プロセッサ1130またはデバイス1110の他の構成要素によって使用されるプログラムコード、データ、および他の情報を記憶し得る。
【０１１７】
すべてのデータストリームの変調シンボルは、次いで、TX MIMOプロセッサ1120に提供され、TX MIMOプロセッサ1120は、さらに、(たとえば、OFDMのために)その変調シンボルを処理し得る。次いで、TX MIMOプロセッサ1120は、NT個の変調シンボルストリームをNT個のトランシーバ(XCVR)1122A〜1122Tに提供する。いくつかの態様では、TX MIMOプロセッサ1120は、データストリームのシンボルと、そのシンボルがそこから送信されているアンテナとに、ビームフォーミング重みを適用する。
【０１１８】
各トランシーバ1122は、それぞれのシンボルストリームを受信し処理して、1つまたは複数のアナログ信号を提供し、さらに、そのアナログ信号を調整(たとえば、増幅、フィルタリング、およびアップコンバート)して、MIMOチャネルを通じて送信するのに適した変調信号を提供する。次いで、トランシーバ1122A〜1122TからのNT個の変調信号が、それぞれNT個のアンテナ1124A〜1124Tから送信される。
【０１１９】
デバイス1150で、送信された変調信号は、NR個のアンテナ1152A〜1152Rによって受信され、各アンテナ1152から受信された信号は、それぞれのトランシーバ(XCVR)1154A〜1154Rに提供される。各トランシーバ1154は、それぞれの受信信号を調整(たとえば、フィルタリング、増幅、およびダウンコンバート)し、調整された信号をデジタル化してサンプルを提供し、さらにそのサンプルを処理して対応する「受信」シンボルストリームを提供する。
【０１２０】
次いで、受信(RX)データプロセッサ1160は、NT個の「検出された」シンボルストリームを提供するために、特定の受信機処理技法に基づいて、NR個のトランシーバ1154からNR個の受信されたシンボルストリームを受信し、処理する。次いで、RXデータプロセッサ1160は、データストリームのトラフィックデータを回復するために、検出された各シンボルストリームを復調し、デインターリーブし、復号する。RXデータプロセッサ1160による処理は、デバイス1110におけるTX MIMOプロセッサ1120およびTXデータプロセッサ1114によって実施される処理を補足するものである。
【０１２１】
プロセッサ1170は、どのプリコーディング行列を使用すべきかを定期的に決定する(後述する)。プロセッサ1170は、行列インデックス部分およびランク値部分を含む逆方向リンクメッセージを編成する。データメモリ1172は、プロセッサ1170またはデバイス1150の他の構成要素によって使用されるプログラムコード、データ、および他の情報を記憶し得る。
【０１２２】
逆方向リンクメッセージは、通信リンクおよび/または受信されたデータストリームに関する様々なタイプの情報を含み得る。次いで、逆方向リンクメッセージは、データソース1136からいくつかのデータストリームのトラフィックデータをも受信するTXデータプロセッサ1138によって処理され、変調器1180によって変調され、トランシーバ1154A〜1154Rによって調整され、デバイス1110に送信して戻される。
【０１２３】
デバイス1110で、デバイス1150からの変調信号は、アンテナ1124によって受信され、トランシーバ1122によって調整され、復調器(DEMOD)1140によって復調され、RXデータプロセッサ1142によって処理されて、デバイス1150によって送信される逆方向リンクメッセージを抽出する。プロセッサ1130は、次いで、ビームフォーミング重みを決定するためにどのプリコーディング行列を使用すべきかを決定し、次いで、抽出されたメッセージを処理する。
【０１２４】
図11は、通信構成要素が、本明細書で教示したように、送信電力制御動作を実行する1つまたは複数の構成要素を含むことができることも示す。たとえば、電力構成要素1190は、本明細書で教示するように、送信電力を制御するために、プロセッサ1130、および/またはデバイス1110の他の構成要素と協働することができる。同様に、電力制御構成要素1192は、本明細書で教示するように、送信電力を制御するための情報を提供するために、プロセッサ1170、および/またはデバイス1150の他の構成要素と協働することができる。デバイス1110および1150の各々に対して、説明した構成要素のうちの2つ以上の機能が、単一の構成要素によって提供され得ることを諒解されたい。たとえば、単一の処理構成要素は、電力制御構成要素1190およびプロセッサ1130の機能を提供することができ、かつ単一の処理構成要素は、電力制御構成要素1192およびプロセッサ1170の機能を提供することができる。
【０１２５】
本明細書の教示は、様々なタイプの通信システムおよび/またはシステム構成要素に組み込むことができる。いくつかの態様では、本明細書の教示は、利用可能なシステム資源を共有することによって(たとえば、帯域幅、送信電力、コーディング、インターリービングなどのうちの1つまたは複数を指定することによって)、複数のユーザとの通信をサポートすることが可能な多元接続システムに使用され得る。たとえば、本明細書の教示は、以下の技術、すなわち、符号分割多元接続(CDMA)システム、マルチキャリアCDMA(MCCDMA)、ワイドバンドCDMA(W-CDMA)、高速パケットアクセス(HSPA、HSPA+)システム、時分割多元接続(TDMA)システム、周波数分割多元接続(FDMA)システム、シングルキャリアFDMA(SC-FDMA)システム、直交周波数分割多元接続(OFDMA)システム、または他の多重アクセス技術の任意の1つまたは複数の組合せに適用され得る。本明細書の教示を採用するワイヤレス通信システムは、IS-95、cdma2000、IS-856、W-CDMA、TDSCDMA、および他の規格などの、1つまたは複数の規格を実装するように設計され得る。CDMAネットワークは、ユニバーサル地上無線アクセス(UTRA)、cdma2000、または何らかの他の技術などの無線技術を実装し得る。UTRAは、W-CDMAおよび低チップレート(LCR)を含む。cdma2000技術は、IS-2000、IS-95、およびIS-856規格をカバーする。TDMAネットワークは、モバイル通信用グローバルシステム(GSM（登録商標）)などの無線技術を実装し得る。OFDMAネットワークは、Evolved UTRA(E-UTRA)、IEEE802.11、IEEE802.16、IEEE802.20、Flash-OFDM(登録商標)などの無線技術を実装し得る。UTRA、E-UTRA、およびGSM（登録商標）は、ユニバーサル移動通信システム(UMTS:Universal Mobile Telecommunication System)の一部である。本明細書の教示は、3GPPロングタームエボリューション(LTE)システム、ウルトラモバイルブロードバンド(UMB)システム、および他のタイプのシステムに実装され得る。LTEは、E-UTRAを
使用するUMTSのリリースである。UTRA、E-UTRA、GSM（登録商標）、UMTS、およびLTEは、「第3世代パートナーシッププロジェクト」(3GPP)という名称の組織のドキュメントに記載されており、cdma2000は、「第3世代パートナーシッププロジェクト2」(3GPP2)という名称の組織のドキュメントに記載されている。本開示のいくつかの態様は、3GPP用語を使用して説明され得るが、本明細書の教示は、3GPP(たとえば、Rel99、Rel5、Rel6、Rel7)技術、ならびに3GPP2(たとえば、1xRTT、1xEV-DO、Rel0、RevA、RevB)技術、および他の技術に適用され得ることを理解されたい。
【０１２６】
本明細書の教示は、様々な装置(たとえば、ノード)に組み込まれ得る(たとえば、それらの装置内に実装されるか、またはそれらの装置によって実行され得る)。いくつかの態様では、本明細書の教示に従って実装されるノード(たとえば、ワイヤレスノード)はアクセスポイントまたはアクセス端末を含み得る。
【０１２７】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を含むか、それらのいずれかとして実装されるか、またはそれらのいずれかとして知られ得る。いくつかの実装形態では、アクセス端末は、セルラー電話、コードレス電話、セッション開始プロトコル(SIP)電話、ワイヤレスローカルループ(WLL)局、携帯情報端末(PDA)、ワイヤレス接続機能を有するハンドヘルドデバイス、またはワイヤレスモデムに接続された何らかの他の好適な処理デバイスを含み得る。したがって、本明細書で教示する1つまたは複数の態様は、電話(たとえば、携帯電話またはスマートフォン)、コンピュータ(たとえば、ラップトップ)、タブレット、ポータブル通信デバイス、ポータブルコンピューティングデバイス(たとえば、携帯情報端末)、エンターテイメントデバイス(たとえば、音楽デバイス、ビデオデバイス、または衛星ラジオ)、全地球測位システムデバイス、またはワイヤレス媒体を介して通信するように構成された任意の他の好適なデバイスに組み込まれ得る。
【０１２８】
アクセスポイントは、ノードB、eノードB、無線ネットワークコントローラ(RNC)、基地局(BS)、無線基地局(RBS)、基地局コントローラ(BSC)、トランシーバ基地局(BTS)、トランシーバ機能(TF)、無線トランシーバ、無線ルータ、基本サービスセット(BSS)、拡張サービスセット(ESS)、マクロセル、マクロノード、ホームeNB(HeNB)、スモールセル、または何らかの他の同様の用語を含むか、それらのいずれかとして実装されるか、またはそれらのいずれかとして知られ得る。
【０１２９】
いくつかの態様では、ノード(たとえば、アクセスポイント)は、通信システムに対するアクセスノードを含み得る。たとえば、そのようなアクセスノードは、ネットワークへの有線通信リンクまたはワイヤレス通信リンクを介した、ネットワーク(たとえば、インターネットまたはセルラーネットワークのようなワイドエリアネットワーク)のための、またはネットワークへの接続を与え得る。したがって、アクセスノードは、別のノード(たとえば、ワイヤレス端末)がネットワークまたは何らかの他の機能にアクセスすることを可能にし得る。加えて、ノードのうちの1つまたは両方は携帯型であるか、またはいくつかの場合には比較的非携帯型であり得ることを諒解されたい。
【０１３０】
また、ワイヤレスノードは、非ワイヤレス方式で(たとえば、ワイヤード接続を介して)情報を送信および/または受信可能であり得ることを諒解されたい。したがって、本明細書で説明する受信機および送信機は、非ワイヤレス媒体を介して通信するために、適正な通信インターフェース構成要素(たとえば、電気的または光学的インターフェース構成要素)を含み得る。
【０１３１】
ワイヤレスノードは、任意の適切なワイヤレス通信技術に基づくか、または任意の適切なワイヤレス通信技術をサポートする1つまたは複数のワイヤレス通信リンクを介して通信し得る。たとえば、いくつかの態様では、ワイヤレスノードはネットワークに関連し得る。いくつかの態様では、ネットワークは、ローカルエリアネットワークまたはワイドエリアネットワークを備え得る。ワイヤレスデバイスは、本明細書で論じられたような様々なワイヤレス通信技術、プロトコル、または規格(たとえば、CDMA、TDMA、OFDM、OFDMA、WiMAX、WiFiなど)のうちの1つまたは複数をサポートするか、または場合によっては使用し得る。同様に、ワイヤレスノードは、様々な対応する変調または多重化方式のうちの1つまたは複数をサポートするか、または場合によっては使用し得る。したがって、ワイヤレスノードは、上記または他のワイヤレス通信技術を使用して、1つまたは複数のワイヤレス通信リンクを確立し、それを介して通信するのに適した構成要素(たとえばエアインターフェース)を含み得る。たとえば、ワイヤレスノードは、ワイヤレス媒体を介した通信を容易にする様々な構成要素(たとえば、信号発生器および信号プロセッサ)を含み得る、関連する送信機構成要素および受信機構成要素をもつワイヤレストランシーバを含み得る。
【０１３２】
(たとえば、添付の図面のうちの1つまたは複数に関して)本明細書で説明する機能は、いくつかの態様では、添付の特許請求の範囲における、同様に指定された「手段」機能に対応し得る。
【０１３３】
図12を参照すると、装置1200は、一連の相互に関係する機能モジュールとして表される。アクセスポイントと関連付けられた複数のアクセス端末によって生成された情報を受信するためのモジュール1202は、少なくともいくつかの態様では、たとえば、本明細書で説明する通信デバイス(たとえば、受信機)に相当し得る。受信情報に基づいてアクセス端末を分類するためのモジュール1204は、少なくともいくつかの態様では、たとえば、本明細書で説明する処理システムに相当し得る。アクセス端末の分類に基づいてアクセスポイントの送信電力を決定するためのモジュール1206は、少なくともいくつかの態様では、たとえば、本明細書で説明する処理システムに相当し得る。
【０１３４】
図12のモジュールの機能は、本明細書の教示と矛盾しない様々な方法で実装され得る。いくつかの態様では、これらのモジュールの機能は、1つまたは複数の電気構成要素として実装され得る。いくつかの態様では、これらのブロックの機能は、1つまたは複数のプロセッサ構成要素を含む処理システムとして実装され得る。いくつかの態様では、これらのモジュールの機能は、たとえば、1つまたは複数の集積回路(たとえば、ASIC)の少なくとも一部分を使用して実装され得る。本明細書で説明するように、集積回路は、プロセッサ、ソフトウェア、他の関連の構成要素、またはそれらの何らかの組合せを含み得る。したがって、異なるモジュールの機能は、たとえば、集積回路の様々なサブセット、ソフトウェアモジュールのセットの様々なサブセット、またはこれらの組合せとして実装され得る。また、(たとえば、集積回路の、および/またはソフトウェアモジュールのセットの)所与のサブセットが、2つ以上のモジュールに対して機能の少なくとも一部分を提供し得ることを諒解されたい。1つの具体的な例として、装置1200は、単一のデバイス(たとえば、ASICの様々なセクションを含む構成要素1202〜1206)を含み得る。別の具体的な例として、装置1200は、いくつかのデバイス(たとえば、1つのASICを含む構成要素1202、ならびに別のASICを含む構成要素1204および1206)を含み得る。これらのモジュールの機能はまた、本明細書で教示する何らかの他の方式で実装され得る。いくつかの態様では、図12における任意の点線のブロックのうちの1つまたは複数はオプションである。
【０１３５】
加えて、図12によって表された構成要素および機能、ならびに本明細書に記載された他の構成要素および機能は、任意の適切な手段を使用して実装され得る。そのような手段はまた、少なくとも部分的に、本明細書で教示する対応する構造を使用して実装され得る。たとえば、図12の構成要素の「ためのモジュール」と併せて上記で説明した構成要素は、同様に指定された機能の「ための手段」に対応する可能性もある。したがって、いくつかの態様では、そのような手段のうちの1つまたは複数は、プロセッサ構成要素、集積回路、または本明細書で教示する他の適切な構造のうちの1つまたは複数を使用して実装され得る。
【０１３６】
いくつかの態様では、装置または装置の任意の構成要素は、本明細書で教示する機能を提供するように構成され(または動作可能であり、または適合され)得る。これは、たとえば、機能を提供するように装置または構成要素を製造(たとえば、作製)することにより、機能を提供するように装置または構成要素をプログラミングすることにより、または何らかの他の適切な実装技法の使用を介して達成され得る。一例として、集積回路は、必要な機能を提供するために作製され得る。別の例として、集積回路は、必要な機能をサポートするために作製され、次いで、(たとえばプログラミングを介して)必要な機能を提供するように構成され得る。また別の例として、プロセッサ回路は、必要な機能を提供するためにコードを実行することができる。
【０１３７】
本明細書で「第1の」、「第2の」などの呼称を使用した要素へのいかなる参照も、それらの要素の量または順序を全般的に限定するものではないことを理解されたい。むしろ、これらの呼称は、2つ以上の要素の間、または要素の例の間を区別する都合のよい方法として本明細書で使用され得る。したがって、第1および第2の要素への参照は、2つの要素のみがそこで採用され得ること、または何らかの形で第1の要素が第2の要素に先行しなければならないことを意味しない。また、別段に記載されていない限り、要素のセットは1つまたは複数の要素を含み得る。さらに、本説明または請求項において使われる「A、B、またはCのうちの少なくとも1つ」または「A、B、またはCのうちの1つまたは複数」または「A、B、およびCからなる群のうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含み得る。
【０１３８】
情報および信号が様々な異なる技術および技法のいずれかを使用して表され得ることを当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１３９】
さらに、本明細書で開示した態様に関して説明した様々な例示的な論理ブロック、モジュール、プロセッサ、手段、回路、およびアルゴリズム動作のいずれかは、電子ハードウェア(たとえば、ソースコーディングまたは何らかの他の技法を使用して設計できる、デジタル実装形態、アナログ実装形態、またはそれら2つの組合せ)、命令を組み込んだ様々な形態のプログラムもしくは設計コード(便宜上、本明細書では「ソフトウェア」または「ソフトウェアモジュール」と呼ぶことがある)、または両方の組合せとして実装できることを当業者は諒解されよう。ハードウェアおよびソフトウェアのこの互換性を明確に示すために、様々な例示的な構成要素、ブロック、モジュール、回路、および動作を、概してそれらの機能に関して上記で説明してきた。そのような機能がハードウェアとして実装されるか、またはソフトウェアとして実装されるかは、具体的な適用例および全体的なシステムに課される設計制約に依存する。当業者は、説明された機能を具体的な適用例ごとに様々な方法で実装し得るが、そのような実装の決定は、本開示の範囲からの逸脱をもたらすものと解釈されるべきではない。
【０１４０】
本明細書で開示した態様に関して説明した様々な例示的な論理ブロック、モジュール、および回路は、処理システム、集積回路(「IC」)、アクセス端末、またはアクセスポイント内に実装され得るか、またはそれらによって実施され得る。処理システムは、1つまたは複数のICを使用して実装され得るか、または(たとえば、システムオンチップの一部として)IC内に実装され得る。ICは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、電子的構成要素、光学的構成要素、機械的構成要素、または本明細書で説明する機能を実施するように設計されたそれらの任意の組合せを含み得、ICの内部に、ICの外側に、またはその両方に常駐するコードまたは命令を実行し得る。汎用プロセッサはマイクロプロセッサであり得るが、代替としてプロセッサは、任意の従来のプロセッサ、コントローラ、マイクロコントローラ、または状態機械であり得る。プロセッサはまた、コンピューティングデバイスの組合せ、たとえば、DSPおよびマイクロプロセッサの組合せ、複数のマイクロプロセッサ、DSPコアと連携する1つもしくは複数のマイクロプロセッサ、または任意の他のそのような構成として実装され得る。
【０１４１】
開示された何らかのプロセス中の動作の特定の順序または階層は例示的な手法の一例であることを理解されたい。設計の選好に基づいて、プロセス中の動作の特定の順序または階層は本開示の範囲内のまま再構成され得ることを理解されたい。添付の方法クレームは、例示的な順序で様々な動作の要素を提示しており、提示された特定の順序または階層に限定されるものではない。
【０１４２】
本明細書で開示する態様に関して説明する方法またはアルゴリズムの動作は、直接ハードウェアで実施されるか、プロセッサによって実行されるソフトウェアモジュールで実施されるか、またはその2つの組合せで実施され得る。ソフトウェアモジュール(たとえば、実行可能な命令および関連データを含む)および他のデータは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態のコンピュータ可読記憶媒体などのメモリ中に存在し得る。サンプル記憶媒体は、プロセッサが記憶媒体から情報(たとえば、コード)を読み取り、かつ記憶媒体に情報を書き込むことができるように、たとえば、コンピュータ/プロセッサ(便宜上「プロセッサ」として本明細書では呼ぶ場合がある)などのマシンに結合され得る。サンプル記憶媒体はプロセッサと一体であり得る。プロセッサおよび記憶媒体はASIC中に存在し得る。ASICはユーザ機器中に存在し得る。代替として、プロセッサおよび記憶媒体は、ユーザ機器中に個別の構成要素として存在し得る。さらに、いくつかの態様では、任意の適切なコンピュータプログラム製品は、本開示の態様のうちの1つまたは複数に関連する機能を提供するために実行可能な(たとえば、少なくとも1つのコンピュータによって実行可能な)コードを含むコンピュータ可読媒体を含むことができる。いくつかの態様では、コンピュータプログラム製品は、実装材料を含むことができる。
【０１４３】
1つまたは複数の実装形態では、説明した機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスク記憶装置、磁気ディスク記憶装置もしくは他の磁気記憶デバイス、または、命令またはデータ構造の形態の所望のプログラムコードを搬送または記憶するために用いることができ、コンピュータによってアクセス可能である、任意の他の媒体を含むことができる。また、いかなる接続もコンピュータ可読媒体と適切に呼ばれる。たとえば、同軸ケーブル、光ファイバケーブル、ツイストペア、デジタル加入者回線(「DSL:digital subscriber line」)、または赤外線、無線、およびマイクロ波などのワイヤレス技術を使用して、ウェブサイト、サーバ、または他のリモートソースからソフトウェアが送信される場合、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、ディスク(disk)は、通常、磁気的にデータを再生するが、ディスク(disc)は、レーザーで光学的にデータを再生する。したがって、いくつかの態様では、コンピュータ可読媒体は、非一時的コンピュータ可読媒体(たとえば、有形媒体、コンピュータ可読記憶媒体、コンピュータ可読記憶デバイスなど)を含むことができる。そのような非一時的コンピュータ可読媒体(たとえば、コンピュータ可読記憶デバイス)は、本明細書で説明するか、または場合によっては知られている有形の形態の媒体(たとえば、メモリデバイス、メディアディスクなど)のいずれかを含むことができる。加えて、いくつかの態様では、コンピュータ可読媒体は、一時的コンピュータ可読媒体(たとえば、信号を含む)を含み得る。上記の組合せもコンピュータ可読媒体の範囲内に含めるべきである。コンピュータ可読媒体は、任意の適切なコンピュータプログラム製品中に実装され得ることを諒解されたい。
【０１４４】
本明細書で使用する「判断すること」という用語は、多種多様なアクションを包含する。たとえば、「判断すること」は、計算すること、算出すること、処理すること、導出すること、調査すること、探索すること(たとえば、テーブル、データベース、または別のデータ構造を探索すること)、確認することなどを含み得る。また、「判断すること」は、受け取ること(たとえば、情報を受け取ること)、アクセスすること(たとえば、メモリ内のデータにアクセスすること)などを含み得る。また、「判断すること」は、解決すること、選択すること、選出すること、確立することなどを含み得る。
【０１４５】
開示された態様の前述の記載は、いかなる当業者であっても、本開示を製造または使用できるように提供される。これらの態様への様々な変更は当業者にはすぐに明らかになり、本明細書で定義された包括的な原理は本開示の範囲から逸脱することなく他の態様に適用できる。したがって、本開示は、本明細書に示す態様に限定されるものではなく、本明細書で開示する原理および新規の特徴に一致する最大の範囲を与えられるものである。
【符号の説明】
【０１４６】
100  通信システム
102  アクセス端末
104  アクセス端末
106  アクセスポイント(たとえば、フェムトセル)
108  アクセスポイント(たとえば、フェムトセル)
110  ネットワークエンティティ
112  送信電力コントローラ
114  アクセス端末(AT)生成情報
116  アクセス端末(AT)生成情報
322  測定報告情報統計量
324  セル更新情報統計量
326  UE登録情報統計量
450  第1の統計量
460  第2の統計量
470  第3の統計量
702  装置
704  装置
706  装置
708  通信デバイス
710  送信機
712  受信機
714  通信デバイス(たとえば、トランシーバ)
716  送信機
718  受信機
720  通信デバイス(たとえば、ネットワークインターフェースまたはトランシーバ)
722  送信機
724  受信機
726  通信デバイス(たとえば、ネットワークインターフェース)
728  送信機
730  受信機
732  処理システム
734  処理システム
736  処理システム
738  メモリ構成要素
740  メモリ構成要素
742  メモリ構成要素
744  ユーザインターフェース
746  ユーザインターフェース
748  ユーザインターフェース
800  ワイヤレス通信システム
802A〜802G  マクロセル
804A〜804G  アクセスポイント
806A〜806L  アクセス端末
910A  スモールセル
910B  スモールセル
920A  アクセス端末
920B  アクセス端末
930  ユーザ住宅
940  ワイドエリアネットワーク(たとえば、インターネット)
950  携帯電話事業者コアネットワーク
960  マクロセルアクセスポイント
1000  カバレージマップ
1002A〜1002C  トラッキングエリア
1004A〜1004B  マクロカバレージエリア
1006A〜1006D  スモールセルカバレージエリア
1100  MIMOシステム
1110  ワイヤレスデバイス
1112  データソース
1114  送信(TX)データプロセッサ
1120  TX MIMOプロセッサ
1122A〜1322T  トランシーバ
1124A〜1324T  アンテナ
1130  プロセッサ
1132  メモリ
1136  データソース
1138  TXデータプロセッサ
1140  復調器
1142  受信(RX)データプロセッサ
1150  ワイヤレスデバイス
1152A〜1152R  アンテナ
1154A〜1154R  トランシーバ
1160  RXデータプロセッサ
1170  プロセッサ
1172  メモリ
1180  変調器
1190  電力構成要素
1192  電力制御構成要素
【図１】
2016529850.tif 000003
【図２】
2016529850.tif 000004
【図３】
2016529850.tif 000005
【図４】
2016529850.tif 000006
【図５】
2016529850.tif 000007
【図６】
2016529850.tif 000008
【図７】
2016529850.tif 000009
【図８】
2016529850.tif 000010
【図９】
2016529850.tif 000011
【図１０】
2016529850.tif 000012
【図１１】
2016529850.tif 000013
【図１２】
2016529850.tif 000014
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
通信のための装置であって、
あるアクセスポイントに関連付けられた複数のアクセス端末によって生成された情報を受信するように構成された通信デバイスと、
前記アクセス端末によって送信された測定報告メッセージを含む前記受信された情報に基づいて前記アクセス端末を分類し、
前記アクセス端末の前記分類に基づいて前記アクセスポイントの送信電力を決定する
ように構成された処理システムと
を含み、
前記処理システムが、前記アクセス端末のうちのどれが前記アクセスポイントにより大量の前記測定報告メッセージを前記アクセス端末に送信したかに基づいて前記アクセス端末を分類するように構成される、
装置。
【請求項２】
前記処理システムが、前記アクセス端末のうちのどれが前記アクセスポイントまでのより小さい経路損失に関連付けられるかにさらに基づいて前記アクセス端末を分類するように構成される、請求項1に記載の装置。
【請求項３】
前記処理システムが、前記アクセス端末のうちのどれが無線リンク障害に関連付けられたより大量のセル更新メッセージを前記アクセスポイントに送信したかにさらに基づいて前記アクセス端末を分類するように構成される、請求項1に記載の装置。
【請求項４】
前記処理システムが、第1のカテゴリーの前記アクセス端末と第2のカテゴリーの前記アクセス端末とを識別することによって前記アクセス端末を分類するように構成され、
前記第1のカテゴリーは、前記アクセスポイントに送信された前記測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項1に記載の装置。
【請求項５】
前記セル更新メッセージが、無線リンク障害に関連付けられる、請求項4に記載の装置。
【請求項６】
前記処理システムが、前記第1のカテゴリーまたは前記第2のカテゴリーに含まれないアクセス端末を含む、第3のカテゴリーの前記アクセス端末を識別することによって前記アクセス端末を分類するようにさらに構成される、請求項4に記載の装置。
【請求項７】
前記処理システムが、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別することによって前記アクセス端末を分類するように構成される、請求項1に記載の装置。
【請求項８】
前記処理システムが、
前記アクセスポイントによってターゲットレベルのサービスを提供される前記アクセス端末の第1のサブセットと、
前記アクセスポイントの干渉から保護される前記アクセス端末の第2のサブセットとを識別することによって前記アクセス端末を分類するように構成される、請求項1に記載の装置。
【請求項９】
前記情報が、
前記アクセス端末によって送信されたセル更新メッセージ、または
前記アクセス端末によって送信された登録メッセージのうちの少なくとも1つを含む、請求項1に記載の装置。
【請求項１０】
前記情報が、
経路損失情報、
セル更新カウント情報、または
登録カウント情報のうちの少なくとも1つを含む、請求項1に記載の装置。
【請求項１１】
前記処理システムが、前記アクセス端末のうちの少なくとも1つから前記アクセスポイントに送信されたセル更新の量に基づいて前記送信電力を決定するように構成される、請求項1に記載の装置。
【請求項１２】
前記セル更新が、無線リンク障害に関連付けられる、請求項11に記載の装置。
【請求項１３】
前記処理システムが、
第1のカテゴリーの前記アクセス端末に関連付けられた第1のタイプの前記情報と、
第2のカテゴリーの前記アクセス端末に関連付けられた第2のタイプの前記情報とに基づいて前記送信電力を決定するように構成される、請求項1に記載の装置。
【請求項１４】
前記第1のタイプの前記情報が経路損失情報を含み、
前記第2のタイプの前記情報がセル更新カウント情報を含む、請求項13に記載の装置。
【請求項１５】
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項13に記載の装置。
【請求項１６】
前記処理システムが、
第1のカテゴリーの前記アクセス端末に関連付けられた前記情報の第1のサブセットに基づいて、ターゲットカバレージ範囲にターゲット信号品質を提供する名目送信電力を決定することと、
第2のカテゴリーの前記アクセス端末に関連付けられた前記情報の第2のサブセットに基づいて前記名目送信電力を調整することとによって前記送信電力を決定するように構成される、請求項1に記載の装置。
【請求項１７】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項16に記載の装置。
【請求項１８】
前記処理システムが、
前記アクセスポイントにより大量の前記測定報告メッセージを送信した第1のカテゴリーの前記アクセス端末に関連付けられた経路損失情報に基づいて、ターゲットカバレージ範囲にターゲット信号品質を提供する名目送信電力を決定することと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整することとによって前記送信電力を決定するように構成される、請求項1に記載の装置。
【請求項１９】
送信電力を決定する方法であって、
あるアクセスポイントに関連付けられた複数のアクセス端末によって生成された情報を受信するステップと、
前記アクセス端末によって送信された測定報告メッセージを含む前記受信された情報に基づいて前記アクセス端末を分類するステップと、
前記アクセス端末の前記分類に基づいて前記アクセスポイントの送信電力を決定するステップと
を含み、
前記アクセス端末を分類する前記ステップが、前記アクセス端末のうちのどれが前記アクセスポイントにより大量の前記測定報告メッセージを前記アクセス端末に送信したかに基づいて分類するステップを含む、
方法。
【請求項２０】
前記アクセス端末を分類する前記ステップが、前記アクセス端末のうちのどれが前記アクセスポイントまでのより小さい経路損失に関連付けられるかにさらに基づいて分類するステップを含む、請求項19に記載の方法。
【請求項２１】
前記アクセス端末を分類する前記ステップが、前記アクセス端末のうちのどれが無線リンク障害に関連付けられたより大量のセル更新メッセージを前記アクセスポイントに送信したかにさらに基づいて分類するステップを含む、請求項19に記載の方法。
【請求項２２】
前記アクセス端末を分類する前記ステップが、第1のカテゴリーの前記アクセス端末と第2のカテゴリーの前記アクセス端末とを識別することを含み、
前記第1のカテゴリーは、前記アクセスポイントに送信された前記測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項19に記載の方法。
【請求項２３】
前記セル更新メッセージが、無線リンク障害に関連付けられる、請求項22に記載の方法。
【請求項２４】
前記アクセス端末を分類する前記ステップが、前記第1のカテゴリーまたは前記第2のカテゴリーに含まれないアクセス端末を含む、第3のカテゴリーの前記アクセス端末を識別するステップをさらに含む、請求項22に記載の方法。
【請求項２５】
前記アクセス端末を分類する前記ステップが、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別するステップを含む、請求項19に記載の方法。
【請求項２６】
前記アクセス端末を分類する前記ステップが、
前記アクセスポイントによってターゲットレベルのサービスを提供される前記アクセス端末の第1のサブセットと、
前記アクセスポイントの干渉から保護される前記アクセス端末の第2のサブセットとを識別するステップを含む、請求項19に記載の方法。
【請求項２７】
前記情報が、
前記アクセス端末によって送信されたセル更新メッセージ、または
前記アクセス端末によって送信された登録メッセージのうちの少なくとも1つを含む、請求項19に記載の方法。
【請求項２８】
前記情報が、
経路損失情報、
セル更新カウント情報、または
登録カウント情報のうちの少なくとも1つを含む、請求項19に記載の方法。
【請求項２９】
前記送信電力を決定する前記ステップが、前記アクセス端末のうちの少なくとも1つから前記アクセスポイントに送信されたセル更新の量に基づいて決定するステップを含む、請求項19に記載の方法。
【請求項３０】
前記セル更新が、無線リンク障害に関連付けられる、請求項29に記載の方法。
【請求項３１】
前記送信電力を決定する前記ステップが、
第1のカテゴリーの前記アクセス端末に関連付けられた第1のタイプの前記情報と、
第2のカテゴリーの前記アクセス端末に関連付けられた第2のタイプの前記情報とに基づいて決定するステップを含む、請求項19に記載の方法。
【請求項３２】
前記第1のタイプの前記情報が経路損失情報を含み、
前記第2のタイプの前記情報がセル更新カウント情報を含む、請求項31に記載の方法。
【請求項３３】
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項31に記載の方法。
【請求項３４】
前記送信電力を決定する前記ステップが、
第1のカテゴリーの前記アクセス端末に関連付けられた前記情報の第1のサブセットに基づいて、ターゲットカバレージ範囲にターゲット信号品質を提供する名目送信電力を決定するステップと、
第2のカテゴリーの前記アクセス端末に関連付けられた前記情報の第2のサブセットに基づいて前記名目送信電力を調整するステップとを含む、請求項19に記載の方法。
【請求項３５】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項34に記載の方法。
【請求項３６】
前記送信電力を決定する前記ステップが、
前記アクセスポイントにより大量の前記測定報告メッセージを送信した第1のカテゴリーの前記アクセス端末に関連付けられた経路損失情報に基づいて、ターゲットカバレージ範囲にターゲット信号品質を提供する名目送信電力を決定するステップと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整するステップとを含む、請求項19に記載の方法。
【請求項３７】
通信のための装置であって、
あるアクセスポイントに関連付けられた複数のアクセス端末によって生成された情報を受信するための手段と、
前記アクセス端末によって送信された測定報告メッセージを含む前記受信された情報に基づいて前記アクセス端末を分類するための手段と、
前記アクセス端末の前記分類に基づいて前記アクセスポイントの送信電力を決定するための手段と
を含み、
前記アクセス端末を分類するための前記手段が、前記アクセス端末のうちのどれが前記アクセスポイントにより大量の前記測定報告メッセージを前記アクセス端末に送信したかに基づいて分類する、
装置。
【請求項３８】
前記アクセス端末を分類するための前記手段が、前記アクセス端末のうちのどれが前記アクセスポイントまでのより小さい経路損失に関連付けられるかにさらに基づいて分類する、請求項37に記載の装置。
【請求項３９】
前記アクセス端末を分類するための前記手段が、前記アクセス端末のうちのどれが無線リンク障害に関連付けられたより大量のセル更新メッセージを前記アクセスポイントに送信したかにさらに基づいて分類する、請求項37に記載の装置。
【請求項４０】
前記アクセス端末を分類するための前記手段が、第1のカテゴリーの前記アクセス端末と第2のカテゴリーの前記アクセス端末とを識別するための手段を含み、
前記第1のカテゴリーは、前記アクセスポイントに送信された前記測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、請求項37に記載の装置。
【請求項４１】
前記セル更新メッセージが、無線リンク障害に関連付けられる、請求項40に記載の装置。
【請求項４２】
前記アクセス端末を分類するための前記手段が、前記第1のカテゴリーまたは前記第2のカテゴリーに含まれないアクセス端末を含む、第3のカテゴリーの前記アクセス端末を識別するための手段をさらに含む、請求項40に記載の装置。
【請求項４３】
前記アクセス端末を分類するための前記手段が、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを識別するための手段を含む、請求項37に記載の装置。
【請求項４４】
前記アクセス端末を分類するための前記手段が、
前記アクセスポイントによってターゲットレベルのサービスを提供される前記アクセス端末の第1のサブセットと、
前記アクセスポイントの干渉から保護される前記アクセス端末の第2のサブセットとを識別するための手段を含む、請求項37に記載の装置。
【請求項４５】
前記情報が、
前記アクセス端末によって送信されたセル更新メッセージ、または
前記アクセス端末によって送信された登録メッセージのうちの少なくとも1つを含む、請求項37に記載の装置。
【請求項４６】
前記情報が、
経路損失情報、
セル更新カウント情報、または
登録カウント情報のうちの少なくとも1つを含む、請求項37に記載の装置。
【請求項４７】
前記送信電力を決定するための前記手段が、前記アクセス端末のうちの少なくとも1つから前記アクセスポイントに送信されたセル更新の量に基づいて決定する、請求項37に記載の装置。
【請求項４８】
前記セル更新が、無線リンク障害に関連付けられる、請求項47に記載の装置。
【請求項４９】
前記送信電力を決定するための前記手段が、
第1のカテゴリーの前記アクセス端末に関連付けられた第1のタイプの前記情報と、
第2のカテゴリーの前記アクセス端末に関連付けられた第2のタイプの前記情報とに基づいて決定する、請求項37に記載の装置。
【請求項５０】
前記第1のタイプの前記情報が経路損失情報を含み、
前記第2のタイプの前記情報がセル更新カウント情報を含む、請求項49に記載の装置。
【請求項５１】
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項49に記載の装置。
【請求項５２】
前記送信電力を決定するための前記手段が、
第1のカテゴリーの前記アクセス端末に関連付けられた前記情報の第1のサブセットに基づいて、ターゲットカバレージ範囲にターゲット信号品質を提供する名目送信電力を決定するための手段と、
第2のカテゴリーの前記アクセス端末に関連付けられた前記情報の第2のサブセットに基づいて前記名目送信電力を調整するための手段とを含む、請求項37に記載の装置。
【請求項５３】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項52に記載の装置。
【請求項５４】
前記送信電力を決定するための前記手段が、
前記アクセスポイントにより大量の前記測定報告メッセージを送信した第1のカテゴリーの前記アクセス端末に関連付けられた経路損失情報に基づいて、ターゲットカバレージ範囲にターゲット信号品質を提供する名目送信電力を決定するための手段と、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整するための手段とを含む、請求項37に記載の装置。
【請求項５５】
コンピュータに、
あるアクセスポイントに関連付けられた複数のアクセス端末によって生成された情報を受信させ、
前記アクセス端末によって送信された測定報告メッセージを含む前記受信された情報に基づいて前記アクセス端末を分類させ、
前記アクセス端末の前記分類に基づいて前記アクセスポイントの送信電力を決定させる
ためのコードを含む、非一時的コンピュータ可読記憶媒体であって、
前記アクセス端末を分類するための前記コードが、前記アクセス端末のうちのどれが前記アクセスポイントにより大量の前記測定報告メッセージを前記アクセス端末に送信したかに基づいて前記コンピュータに分類させる、
非一時的コンピュータ可読記憶媒体。
【請求項５６】
前記アクセス端末を分類するための前記コードが、前記アクセス端末のうちのどれが前記アクセスポイントまでのより小さい経路損失に関連付けられるかにさらに基づいて前記コンピュータに分類させる、請求項55に記載の非一時的コンピュータ可読記憶媒体。
【請求項５７】
前記アクセス端末を分類するための前記コードが、前記アクセス端末のうちのどれが無線リンク障害に関連付けられたより大量のセル更新メッセージを前記アクセスポイントに送信したかにさらに基づいて前記コンピュータに分類させる、請求項55に記載の非一時的コンピュータ可読記憶媒体。
【請求項５８】
前記アクセス端末を分類するための前記コードが、第1のカテゴリーの前記アクセス端末と第2のカテゴリーの前記アクセス端末とを前記コンピュータに識別させるためのコードを含み、
前記第1のカテゴリーは、前記アクセスポイントに送信された前記測定報告メッセージの量、または前記測定報告メッセージから導出された前記アクセスポイントまでの経路損失に基づいており、
前記第2のカテゴリーは、前記アクセスポイントに送信されたセル更新メッセージの量に基づいている、
請求項55に記載の非一時的コンピュータ可読記憶媒体。
【請求項５９】
前記セル更新メッセージが、無線リンク障害に関連付けられる、請求項58に記載の非一時的コンピュータ可読記憶媒体。
【請求項６０】
前記アクセス端末を分類するための前記コードが、前記第1のカテゴリーまたは前記第2のカテゴリーに含まれないアクセス端末を含む、第3のカテゴリーの前記アクセス端末を前記コンピュータに識別させることをさらに含む、請求項58に記載の非一時的コンピュータ可読記憶媒体。
【請求項６１】
前記アクセス端末を分類するための前記コードが、
前記アクセスポイントから最も頻繁にサービスを取得する前記アクセス端末の第1のサブセットと、
前記アクセスポイントの少なくとも1つの隣接するアクセスポイントからサービスを取得する前記アクセス端末の第2のサブセットとを前記コンピュータに識別させることを含む、請求項55に記載の非一時的コンピュータ可読記憶媒体。
【請求項６２】
前記アクセス端末を分類するための前記コードが、
前記アクセスポイントによってターゲットレベルのサービスを提供される前記アクセス端末の第1のサブセットと、
前記アクセスポイントの干渉から保護される前記アクセス端末の第2のサブセットとを前記コンピュータに識別させることを含む、請求項55に記載の非一時的コンピュータ可読記憶媒体。
【請求項６３】
前記情報が、
前記アクセス端末によって送信されたセル更新メッセージ、または
前記アクセス端末によって送信された登録メッセージのうちの少なくとも1つを含む、請求項55に記載の非一時的コンピュータ可読記憶媒体。
【請求項６４】
前記情報が、
経路損失情報、
セル更新カウント情報、または
登録カウント情報のうちの少なくとも1つを含む、請求項55に記載の非一時的コンピュータ可読記憶媒体。
【請求項６５】
前記送信電力を決定するための前記コードが、前記アクセス端末のうちの少なくとも1つから前記アクセスポイントに送信されたセル更新の量に基づいて前記コンピュータに決定させる、請求項55に記載の非一時的コンピュータ可読記憶媒体。
【請求項６６】
前記セル更新が、無線リンク障害に関連付けられる、請求項65に記載の非一時的コンピュータ可読記憶媒体。
【請求項６７】
前記送信電力を決定するための前記コードが、
第1のカテゴリーの前記アクセス端末に関連付けられた第1のタイプの前記情報と、
第2のカテゴリーの前記アクセス端末に関連付けられた第2のタイプの前記情報とに基づいて前記コンピュータに決定させる、請求項55に記載の非一時的コンピュータ可読記憶媒体。
【請求項６８】
前記第1のタイプの前記情報が経路損失情報を含み、
前記第2のタイプの前記情報がセル更新カウント情報を含む、請求項67に記載の非一時的コンピュータ可読記憶媒体。
【請求項６９】
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項67に記載の非一時的コンピュータ可読記憶媒体。
【請求項７０】
前記送信電力を決定するための前記コードが、
第1のカテゴリーの前記アクセス端末に関連付けられた前記情報の第1のサブセットに基づいて、ターゲットカバレージ範囲にターゲット信号品質を提供する名目送信電力を決定することと、
第2のカテゴリーの前記アクセス端末に関連付けられた前記情報の第2のサブセットに基づいて前記名目送信電力を調整することとを前記コンピュータに行わせる、請求項55に記載の非一時的コンピュータ可読記憶媒体。
【請求項７１】
前記情報の前記第1のサブセットが経路損失情報を含み、
前記情報の前記第2のサブセットがセル更新カウント情報を含み、
前記第1のカテゴリーの前記アクセス端末が、前記アクセスポイントにより大量の前記測定報告メッセージを送信したアクセス端末、または前記アクセスポイントまでのより小さい経路損失に関連付けられたアクセス端末を含み、
前記第2のカテゴリーの前記アクセス端末が、無線リンク障害に関連付けられたより大量のセル更新メッセージを前記アクセスポイントに送信したアクセス端末を含む、請求項70に記載の非一時的コンピュータ可読記憶媒体。
【請求項７２】
前記送信電力を決定するための前記コードが、
前記アクセスポイントにより大量の前記測定報告メッセージを送信した第1のカテゴリーの前記アクセス端末に関連付けられた経路損失情報に基づいて、ターゲットカバレージ範囲にターゲット信号品質を提供する名目送信電力を決定することと、
前記第1のカテゴリーのアクセス端末と相互排他的であって、無線リンク障害に関連付けられたより大量のセル更新メッセージを前記アクセスポイントに送信した第2のカテゴリーの前記アクセス端末と相互排他的である第3のカテゴリーの前記アクセス端末に関連付けられた登録情報に基づいて前記名目送信電力を調整することとを前記コンピュータに行わせる、請求項55に記載の非一時的コンピュータ可読記憶媒体。
【国際調査報告】
2016529850.tif 000015
2016529850.tif 000016
2016529850.tif 000017
2016529850.tif 000018
2016529850.tif 000019
2016529850.tif 000020
2016529850.tif 000021